(57)【特許請求の範囲】
【請求項１】
各種遊技部品が設けられた遊技機本体と、該遊技機本体の前面側を覆うように開閉可能に配置された前面扉と、遊技領域のほぼ全域を前方から視認できるように前記前面扉に形成された窓部に配置された透明板組立体と、を備え、
該透明板組立体は、複数枚の透明板と、それら各透明板の外周部を固定する枠体と、前記枠体と前記各透明板とによって囲まれた密閉空間の水分を吸着する吸湿体と、を備えた遊技機において、
前記枠体を一体成形にて形成すると共に、該枠体及び前記各透明板を、少なくとも一部が前記窓部より外方に拡張された拡張部分を有する形状とし、
前記枠体と前記各透明板とによって囲まれた位置であって前記密閉空間内の前記拡張部分に前記吸湿体を配置することにより、前記前面扉を前記遊技機本体より開放したときに、前記透明板を通じて前記吸湿体が視認可能となるよう構成したことを特徴とする遊技機。
【請求項２】
各種遊技部品が設けられた遊技機本体と、該遊技機本体の前面側を覆うように開閉可能に配置された前面扉と、遊技領域のほぼ全域を前方から視認できるように前記前面扉に形成された窓部に配置された透明板組立体と、を備え、
該透明板組立体は、複数枚の透明板と、それら各透明板の外周部を固定する枠体と、前記枠体と前記各透明板とによって囲まれた密閉空間の水分を吸着する吸湿体と、を備えた遊技機において、
前記枠体を一体成形にて形成すると共に、該枠体及び前記各透明板を、少なくとも一部が前記窓部より外方に拡張された拡張部分を有する形状とし、
前記枠体の内周端より内周側の前記各透明板に挟まれた位置であって前記密閉空間内の前記拡張部分に前記吸湿体を配置することにより、前記前面扉を前記遊技機本体より開放したときに、前記透明板を通じて前記吸湿体が視認可能となるよう構成したことを特徴とする遊技機。
【請求項３】
前記吸湿体を内部視認可能な収納部材に収めて吸湿ユニットとしたことを特徴とする請求項１又は請求項２に記載の遊技機。
【請求項４】
前記収納部材は、少なくとも２片のケース部材を組み合わせて構成され、前記各透明板で挟まれることにより、前記ケース部材が開放不能とされていることを特徴とする請求項３に記載の遊技機。
【請求項５】
前記透明板と前記吸湿ユニットとの間に隙間を設けるとともに、前記吸湿ユニットの収納部材には、前記透明板に対面する側面に収納部材内外を連通する通気孔を設けたことを特徴とする請求項３又は請求項４に記載の遊技機。
【請求項６】
前記吸湿ユニットの収納部材には、前記透明板に対面する側面に当該透明板に向けて突出する突起部を設けたことを特徴とする請求項５に記載の遊技機。
【請求項７】
前記吸湿ユニットを位置決めするための位置決め部を前記枠体の内周側に設け、該位置決め部と前記複数の透明板とにより形成した領域に前記吸湿ユニットを配置するように構成したことを特徴とする請求項３乃至請求項６のいずれかに記載の遊技機。
【請求項８】
前記吸湿体は、残存する吸湿能力を表示可能なものであることを特徴とする請求項１乃至請求項７のいずれかに記載の遊技機。
【発明の詳細な説明】
【０００１】
【発明の属する技術分野】
本発明は、ガラス等の透明板を備えた透明板組立体を前面部に配置した遊技機に関するものである。
【０００２】
【従来の技術】
従来の遊技機、例えばパチンコ遊技機等の弾球遊技機にあっては、遊技盤面に形成される遊技領域の視認性を確保しつつ遊技盤前面を覆うために、ガラス等の透明板が配設されている。透明板は、例えば、磁石による不正防止等の観点から、遊技盤面に対峙する内側透明板と、該内側透明板から所定空間を隔てて配置されて前面に露出される外側透明板とからなる二重タイプのものが一般的である。
【０００３】
近年では、各透明板の外周部を枠状のフレームに固定してそれらを一体化した透明板組立体が提案されている。かかる透明板組立体では、透明板間に水分や塵埃が混入するのを極力防止するため、フレームと内外両透明板とによって密閉空間を形成している。一方、水分を遮断した完全な密封構造を構築することが困難であること等の理由から、前記密閉空間側の板面が結露しないようシリカゲル等の乾燥剤（吸湿剤）がフレームの外側に形成した収納室に収納されている。収納室と前記密閉空間とは小孔を介して連通されており、収納室に乾燥剤を収納した状態で収納室の開放部を蓋部材によって密閉するようにしている（例えば、特許文献１参照）。
【０００４】
【特許文献１】
特開平９−０００７１８号公報
【０００５】
【発明が解決しようとする課題】
しかしながら、上記透明板組立体では、例えば、蓋部材を取り付けた後に乾燥剤の水分を吸着する吸湿能力の残存量を確認する術がなく、密閉空間内に結露が発生するまで吸湿能力の不足が分からないという問題がある。また、当該構成の透明板組立体では乾燥剤のみの交換が難しいことから、吸湿能力が不足した際には透明板組立体を一式交換する必要がある。そこで、遊技機に組み付けた透明板組立体に結露が発生することを防ぐためには、吸湿能力の残存量に関わらず透明板組立体を早期交換する等の必要性が生じる恐れがある。
【０００６】
本発明は、上記事情に鑑みてなされたものであり、結露防止対策が施された透明板組立体において、効果的に結露防止対策を施すことを目的の一つとする。
【０００７】
【課題を解決するための手段及び発明の効果】
以下、上記目的を解決するのに有効な手段等につき、必要に応じて効果等を示しつつ説明する。なお、以下においては、理解の容易のため、発明の実施の形態において対応する構成を括弧書き等で適宜示すが、この括弧書き等で示した具体的構成に限定されるものではない。
【０００８】
手段１．遊技機前面部に透明板組立体（ガラスユニット１６０）が配置され、該透明板組立体は、複数枚の透明板（ガラス板１６５，１６６）と、それら各透明板の外周部を固定する枠体（ガラスフレーム１６１）と、前記枠体と前記各透明板とによって囲まれた空間（密閉空間１６７）の水分を吸着する吸湿体（乾燥剤１８２）と、を備えた遊技機において、
前記吸湿体が視認可能となるように、前記透明板組立体を構成したことを特徴とする遊技機。
【０００９】
手段１によれば、吸湿体が視認可能な状態で透明板組立体内に配置されているため、枠体等により囲まれた閉鎖空間に吸湿体が収容されていても、その状態等を容易に確認することができる。例えば、吸湿体の変色やウエット状態等が容易に確認でき、吸湿体が初期状態から変色した、或いはウエットとなった場合には、吸湿能力が低下しているとの判断から、透明板組立体の交換等を促すことができる。したがって、吸湿体の状態や吸湿能力に応じた透明板組立体の交換等を行うことが可能となり、効果的に結露防止対策を施すことができる。また、従来構成では収納室に吸湿体を収納したかどうかは蓋部材を組み付けた後に確認できなかったが、常時確認することができるようになる。
【００１０】
手段２．遊技機前面部に透明板組立体（ガラスユニット１６０）が配置され、該透明板組立体は、複数枚の透明板（ガラス板１６５，１６６）と、それら各透明板の外周部を固定する枠体（ガラスフレーム１６１）と、前記枠体と前記各透明板とによって囲まれた空間（密閉空間１６７）の水分を吸着する吸湿体（乾燥剤１８２）と、を備えた遊技機において、
前記吸湿体を前記空間内に配置し、前記透明板を通じて前記吸湿体を視認可能としたことを特徴とする遊技機。
【００１１】
手段２によれば、吸湿体は、複数枚の透明板と枠体とにより形成される空間内に配置されている。このため、吸湿体の変色やウエット状態等が透明板を通じて容易に確認でき、例えば吸湿体が初期状態から変色した、或いはウエットとなった場合には、吸湿能力が低下しているとの判断から、透明板組立体の交換等を促すことができる。したがって、吸湿体の状態や吸湿能力に応じた透明板組立体の交換等を行うことが可能となり、効果的に結露防止対策を施すことができる。また、従来必要とされてきた、吸湿体を収納する収納室を蓋部材を用いて密閉する工程が不要となり、透明板組立体の組み付け工程における作業効率を改善することができる。また、従来構成では収納室に吸湿体を収納したかどうかは蓋部材を組み付けた後に確認できなかったが、常時確認することができるようになる。
【００１２】
手段３．上記手段１又は手段２において、前記吸湿体を内部視認可能な収納部材（ケーシング１８１）に収めて吸湿ユニット（乾燥剤ユニット１８０）としたことを特徴とする遊技機。
【００１３】
手段３によれば、吸湿体は予め内部視認可能な収納部材に収められてユニット化されている。ユニット化することにより、透明板組立体の組み付け工程における吸湿体の取り扱いが容易なものとなる。この結果、組み付け工程の作業効率を改善することが可能となる。なお、収納部材が内部視認可能となる構成として、例えば収納部材を透明容器とする、或いは、有色透明な容器とする等の構成が挙げられる。
【００１４】
手段４．上記手段３において、前記収納部材は、少なくとも２片のケース部材（ケーシング１８１ａ，１８１ｂ）を組み合わせて構成され、前記各透明板で挟まれることにより、前記ケース部材が開放不能とされていることを特徴とする遊技機。
【００１５】
手段４によれば、各透明板で挟まれることにより、収納部材を構成するケース部材が開放不能とされているため、透明板組立体としての状態では収納部材（ケース部材）が不用意に開放され、内部の吸湿体がこぼれ出てしまう等の不都合は生じない。
【００１６】
手段５．上記手段３又は手段４において、前記透明板と前記吸湿ユニットとの間に隙間を設けるとともに、前記吸湿ユニットの収納部材には、前記透明板に対面する側面に収納部材内外を連通する通気孔（通気孔１８５）を設けたことを特徴とする遊技機。
【００１７】
手段５によれば、透明板と吸湿ユニットとの間に隙間を設けるとともに、吸湿ユニットの収納部材には、透明板に対面する側面に収納部材内外を連通する通気孔を設けたため、通気孔が吸湿体や粉塵等により目詰まりするといった不測の不具合が発生していないかを容易に確認することができる。なお、容器の両側面に通気孔を設けることも可能である。
【００１８】
手段６．上記手段５において、前記吸湿ユニットの収納部材には、前記透明板に対面する側面に当該透明板に向けて突出する突起部（突起１８６）を設けたことを特徴とする遊技機。
【００１９】
手段６によれば、吸湿ユニットの収納部材には、透明板に対面する側面に当該透明板に向けて突出する突起部を設けたため、突起部により吸湿ユニットの収納部材外面と透明板の板面との密着が防止できる。従って、吸湿ユニットの収納部材に設けた通気孔が透明板の板面により塞がってしまうといった不都合が回避できる。
【００２０】
手段７．上記手段３乃至手段６のいずれかにおいて、前記吸湿ユニットを位置決めするための位置決め部（乾燥剤支持部１７０）を前記枠体の内周側に設け、該位置決め部と前記複数の透明板とにより形成した領域に前記吸湿ユニットを配置するように構成したことを特徴とする遊技機。
【００２１】
手段７によれば、枠体の内周側に設けた位置決め部と複数の透明板とにより形成された領域へ吸湿ユニットを配置するように構成したため、枠体内周部において吸湿ユニットが位置ズレする等の不都合が防止できるとともに、位置決め機能の一部を透明板に負担させることととなり、位置決め部の構造を簡素化できる。
【００２２】
手段８．遊技機前面部に透明板組立体（ガラスユニット１６０）が配置され、該透明板組立体は、複数枚の透明板（ガラス板１６５，１６６）と、それら各透明板の外周部を固定する枠体（ガラスフレーム１６１）と、前記枠体と前記各透明板とによって囲まれた空間（密閉空間１６７）の水分を吸着する吸湿体（乾燥剤１８２）と、を備えた遊技機において、
前記枠体に前記吸湿体を収納可能な収容凹部（収容凹部５９１）を形成し、該収容凹部の開口部を、収容凹部内を視認可能とする部材により覆う構成としたことを特徴とする遊技機（別例（ｌ））。
【００２３】
手段８によれば、枠体には吸湿体を収納するための収容凹部が形成されており、この収容凹部の開口部を、収容凹部内を視認可能とする部材で覆うことにより、吸湿体が視認可能な構成となっている。この結果、吸湿体の変色やウエット状態等が当該部材を通じて容易に確認でき、例えば吸湿体が初期状態から変色した、或いはウエットとなった場合には、吸湿能力が低下しているとの判断から、透明板組立体の交換等を促すことができる。したがって、吸湿体の状態や吸湿能力に応じた透明板組立体の交換等を行うことが可能となり、効果的に結露防止対策を施すことができる。また、従来構成では収納室に吸湿体を収納したかどうかは蓋部材を組み付けた後に確認できなかったが、常時確認することができるようになる。
【００２４】
手段９．上記手段８において、前記収容凹部の開口部を前記透明板と相対する方向に設けたことを特徴とする遊技機。
【００２５】
手段９によれば、吸湿体を収納する収容凹部は枠体の内周部に沿って形成されており、収容凹部の開口部は透明板と相対する方向に設けられている。収容凹部は、枠体の厚み方向（遊技機に取り付けた状態ではその前後方向）に延びるよう設けられているため、その加工が容易なものとなる。この結果、枠体のコストアップを抑えつつ収容凹部を設けることが可能となる。
【００２６】
手段１０．上記手段９において、前記透明な部材は前記透明板（ガラス板１６５）であることを特徴とする遊技機。
【００２７】
手段１０によれば、収容凹部の開口部は透明板によって覆われている。この結果、収容凹部の開口部を塞ぐための蓋部材が透明板で兼用できるため、部品点数の削減に貢献し得る。また、透明板を枠体に固定する工程は従来から存在する工程であるため、吸湿体の収納室を蓋部材にて別途密閉する従来の専用工程が不要となり、結露防止対策が施された透明板組立体における組立作業効率を高めることが可能となる。
【００２８】
手段１１．上記手段１０において、前記収容凹部と前記密閉空間とを仕切る隔壁（隔壁５９０）に、前記透明板と接するようにして通気通路を設けたことを特徴とする遊技機。
【００２９】
手段１１によれば、収容凹部と密閉空間とを仕切る隔壁には、透明板と接するようにして通気通路が設けられている。当該構成においては、収容凹部の内外を連通する通気通路のいずれかの面を透明板が担うこととなり、通気通路の形状を簡単なものとすることができる。また、収容凹部内外を連通するこの通気通路が、吸湿体や粉塵等により目詰まりするといった不測の不具合が発生していないかを容易に確認することも可能となる。
【００３０】
手段１２．上記手段９乃至手段１１のいずれかにおいて、前記収容凹部における前記開口部と対向する底面を所定の隙間をもって前記透明板と相対させ、該底面に収容凹部内外を連通する通気孔（通気孔５９２）を設けたことを特徴とする遊技機。
【００３１】
手段１２によれば、収容凹部の底面に通気孔が設けられている。通気孔の貫通方向が収容凹部の開口方向と同一のため、通気孔を容易に形成することが可能である。また、遊技機に取り付けた状態にあっては、この通気孔の貫通方向は遊技機の前後方向となる。したがって、例えば遊技機の上下方向に貫通する通気孔を設けた場合と比較して、吸湿体や粉塵等が通気孔を通じて収容凹部の外部へこぼれでることを抑制することが可能となる。
【００３２】
手段１３．上記手段８乃至手段１２のいずれかにおいて、前記吸湿体を内部視認可能な収納部材に収めて吸湿ユニットとし、該吸湿ユニットを前記収容凹部に収めたことを特徴とする遊技機。
【００３３】
手段１３によれば、吸湿体は予め内部視認可能な収納部材に収められてユニット化されている。ユニット化することにより、透明板組立体の組み付け工程における吸湿体の取り扱いが容易なものとなる。この結果、組み付け工程の作業効率を改善することが可能となる。また、例えば吸湿体として粒状の乾燥剤等を用いた場合においては、吸湿体が収容凹部から外部へこぼれでることを抑制することが可能となる。
【００３４】
手段１４．遊技機前面部に透明板組立体（ガラスユニット１６０）が配置され、該透明板組立体は、複数枚の透明板（ガラス板１６５，１６６）と、それら各透明板の外周部を固定する枠体（ガラスフレーム１６１）と、前記枠体と前記各透明板とによって囲まれた空間（密閉空間１６７）の水分を吸着する吸湿体（乾燥剤１８２）と、を備えた遊技機において、
前記枠体に前記吸湿体を収納可能な収容凹部を形成し、該収容凹部の開口部を透明な蓋部材により閉ざしたことを特徴とする遊技機（別例（ｏ））。
【００３５】
手段１４によれば、枠体には吸湿体を収納するための収容凹部が形成されている。また、この収容凹部の開口部を透明な蓋部材で閉ざすことにより、吸湿体が視認可能な構成となっている。この結果、吸湿体の変色やウエット状態等が当該部材を通じて容易に確認でき、例えば吸湿体が初期状態から変色した、或いはウエットとなった場合には、吸湿能力が低下しているとの判断から、透明板組立体の交換等を促すことができる。したがって、吸湿体の状態や吸湿能力に応じた透明板組立体の交換等を行うことが可能となり、効果的に結露防止対策を施すことができる。また、例えば透明板組立体の組み付け工程において、従来構成では吸湿体を収納したかどうかは蓋部材を組み付けた後に確認できなかったが、常時確認することができるようになる。かかる構成としては、例えば収容凹部の開口部を枠体の外周面に設け、この開口部を透明な蓋部材により閉ざした構成、或いは収容凹部の開口部を透明板と相対する方向に設け、この開口部を透明な蓋部材により閉ざした構成等が挙げられる。
【００３６】
手段１５．上記手段１乃至手段１４のいずれかにおいて、各種遊技部品が設けられた遊技機本体（外枠１１、本体枠１２等）と、該遊技機本体の前面側を覆うように開閉可能に配置された前面扉（前扉枠１３）とを備え、該前面扉に前記透明板組立体を組み付けるようにした遊技機であって、前記吸湿体は、前記前面扉を前記遊技機本体より開放したときに視認可能であることを特徴とした遊技機。
【００３７】
手段１５によれば、透明板組立体は前面扉に組み付けられており、この前面扉を遊技機本体から開放したときに、透明板組立体の吸湿体が視認可能な構成となっている。当該構成とすることにより、透明板組立体を前面扉から取り外さなくても吸湿体の状態を確認することができる。この結果、遊技機のメンテナンス等を行う作業者にかかる負荷を軽減することが可能となる。
【００３８】
手段１６．上記手段１５において、前記透明板組立体を前記前面扉の窓部（窓部１０１）に組み付けるようにした遊技機であって、前記枠体には、少なくとも一部に前記窓部よりも外方に拡張した拡張部分を形成し、当該拡張部分に前記吸湿体を配置したことを特徴とする遊技機。
【００３９】
手段１６によれば、窓部よりも外方に拡張した枠体の拡張部分に吸湿体を配置したため、透明板組立体における遊技者が視認する視認領域を狭めることなく当該吸湿体の配置が可能となる。つまり、透明板組立体が所望される遊技者の視認領域範囲を維持したまま付加的に拡張部分を設けることにより、遊技者の視認領域に影響なく吸湿体が配置できる。当該構成においては、遊技を行う遊技者は普段吸湿体を視認することができず、遊技機のメンテナンス等の作業を行う作業者のみが吸湿体を視認することができる。したがって、遊技者が吸湿体の存在を不審に思い、遊技に没頭できなくなることを防止できる。
【００４０】
手段１７．上記手段１乃至手段１６のいずれかにおいて、前記吸湿体は、残存する吸湿能力を表示可能なものであることを特徴とする遊技機。
【００４１】
手段１７によれば、吸湿体に残存する吸湿能力を容易に確認することができ、仮に吸湿能力が低下した場合には、透明板組立体の交換等を促すことができる。具体的には、例えば、吸湿体として塩化コバルトを吸着させた青いシリカゲルを使用すればよい。このシリカゲルは、吸湿すると青色から次第にピンク色に変色するため、吸湿能力の確認が容易である。
【００４２】
手段１８．遊技機前面部に配置される透明板組立体（ガラスユニット１６０）において、
複数枚の透明板（ガラス板１６５，１６６）と、それら各透明板の外周部を固定する枠体（ガラスフレーム１６１）と、前記枠体と前記各透明板とによって囲まれた空間（密閉空間１６７）の水分を吸着する吸湿体（乾燥剤１８２）と、を備え、該吸湿体を前記空間内に配置し、前記吸湿体を視認可能としたことを特徴とする透明板組立体。
【００４３】
手段１８によれば、吸湿体は、複数枚の透明板と枠体とにより形成される空間内に配置されている。このため、吸湿体の変色やウエット状態等が透明板を通じて容易に確認でき、例えば吸湿体が初期状態から変色した、或いはウエットとなった場合には、吸湿能力が低下しているとの判断から、透明板組立体の交換等を促すことができる。したがって、吸湿体の状態や吸湿能力に応じた透明板組立体の交換等を行うことが可能となり、効果的に結露防止対策を施すことができる。また、従来必要とされてきた、吸湿体を収納する収納室を、蓋部材を用いて密閉する工程が不要となり、透明板組立体の組み付け工程における作業効率を改善することができる。また、従来必要とされてきた、吸湿体を収納する収納室を蓋部材を用いて密閉する工程が不要となり、透明板組立体の組み付け工程における作業効率を改善することができる。また、従来構成では収納室に吸湿体を収納したかどうかは蓋部材を組み付けた後に確認できなかったが、常時確認することができるようになる。
【００４４】
手段１９．遊技機前面部に配置される透明板組立体（ガラスユニット１６０）において、
複数枚の透明板（ガラス板１６５，１６６）と、それら各透明板の外周部を固定する枠体（ガラスフレーム１６１）と、前記枠体と前記各透明板とによって囲まれた空間（密閉空間１６７）の水分を吸着する吸湿体（乾燥剤１８２）と、を有し、前記枠体は前記吸湿体を収納可能な収容凹部を備え、該収容凹部の開口部を透明な部材により覆う構成としたことを特徴とする透明板組立体。
【００４５】
手段１９によれば、枠体は吸湿体を収納するための収容凹部を備えており、この収容凹部の開口部を透明な部材で覆うことにより、吸湿体が視認可能な構成となっている。この結果、吸湿体の変色やウエット状態等が透明な部材を通じて容易に確認でき、例えば吸湿体が初期状態から変色した、或いはウエットとなった場合には、吸湿能力が低下しているとの判断から、透明板組立体の交換等を促すことができる。したがって、吸湿体の状態や吸湿能力に応じた透明板組立体の交換等を行うことが可能となり、効果的に結露防止対策を施すことができる。また、従来構成では収納室に吸湿体を収納したかどうかは蓋部材を組み付けた後に確認できなかったが、常時確認することができるようになる。
【００４６】
手段２０．遊技機前面部に配置される透明板組立体（ガラスユニット１６０）において、
複数枚の透明板（ガラス板１６５，１６６）と、それら各透明板の外周部を固定する枠体（ガラスフレーム１６１）と、前記枠体と前記各透明板とによって囲まれた空間（密閉空間１６７）の水分を吸着する吸湿体（乾燥剤１８２）と、を有し、前記枠体に前記吸湿体を収納可能な収容凹部を形成し、該収容凹部の開口部を透明な蓋部材により閉ざしたことを特徴とする透明板組立体。
【００４７】
手段２０によれば、枠体には吸湿体を収納するための収容凹部が形成されている。また、この収容凹部の開口部を透明な蓋部材で閉ざすことにより、吸湿体が視認可能な構成となっている。この結果、吸湿体の変色やウエット状態等が当該部材を通じて容易に確認でき、例えば吸湿体が初期状態から変色した、或いはウエットとなった場合には、吸湿能力が低下しているとの判断から、透明板組立体の交換等を促すことができる。したがって、吸湿体の状態や吸湿能力に応じた透明板組立体の交換等を行うことが可能となり、効果的に結露防止対策を施すことができる。また、例えば透明板組立体の組み付け工程において、従来構成では吸湿体を収納したかどうかは蓋部材を組み付けた後に確認できなかったが、常時確認することができるようになる。かかる構成としては、例えば収容凹部の開口部を枠体の外周面に設け、この開口部を透明な蓋部材により閉ざした構成、或いは収容凹部の開口部を透明板と相対する方向に設け、この開口部を透明な蓋部材により閉ざした構成等が挙げられる。
【００４８】
以下に、以上の各手段を適用し得る各種遊技機の基本構成を示す。
【００４９】
遊技領域を拡張した遊技機：左右一側部側を中心に左右他側部側が開閉可能となるように構成され、遊技盤（遊技盤３０）を支持した遊技機本体（本体枠１２等）と、
前記遊技盤の前面に設けられたレール部材（レールユニット５０）により略円形状に区画された遊技領域と、
前記遊技機本体の前面側にて前記左右一側部側を中心に前記左右他側部が開閉可能となるよう支持され、閉鎖状態において前記遊技領域を視認可能な視認窓（窓部１０１）を有した前面扉（前扉枠１３）と
を備え、
前記遊技機本体の前記左右一側部には長尺状の補強部材（軸受け金具２３５）を上下方向へ延びるように設けるとともに、前記遊技機本体の前記左右他側部には前記遊技機本体及び前面扉の開放を禁止するように施錠する施錠装置（シリンダ錠９１、連動杆２４８等）を設け、
該施錠装置は、遊技機本体の前記左右他側部に上下方向へ延びるようにかつ上下方向へ移動可能となるように設けられた長尺状の連動部材（連動杆２４８）と、遊技機本体の前記左右他側部のうち前記遊技領域の最大幅となる位置とは異なる位置に設けられ前記連動部材を上側又は下側に選択的に移動させる鍵部材（シリンダ錠９１）とを備え、該鍵部材の操作による前記連動部材の上下一方への移動により遊技機本体の施錠が解除されるとともに、前記連動部材の上下他方への移動により前記前面扉の施錠が解除されるように構成し、
前記遊技盤を前記遊技機本体の幅内において前記補強部材及び連動部材を左右に振り分けて配置するための領域を残した幅となるように形成するとともに、前記遊技盤の左右両側部には前記遊技機本体の左右両側からの張出領域との干渉を回避するように部分的に凹部（切欠３８）を形成し、さらに、前記レール部材のうち、前記遊技領域の最大幅となる位置を、遊技盤の左右端位置に至るように配設することにより、
遊技領域を拡張したことを特徴とする遊技機。
【００５０】
弾球遊技機：遊技者が操作する操作手段（遊技球発射ハンドル１８）と、その操作手段の操作に基づいて遊技球を弾いて発射する球発射手段（発射モータ２２９等）と、その発射された遊技球を所定の遊技領域に導く球通路（レールユニット５０の球案内通路）と、遊技領域内に配置された各遊技部品（一般入賞口３１、可変入賞装置３２、作動口３３、可変表示ユニット３５等）とを備えた遊技機。
【００５１】
可変表示装置を備えた弾球遊技機：遊技者が操作する操作手段（遊技球発射ハンドル１８）と、その操作手段の操作に基づいて遊技球を弾いて発射する球発射手段（発射モータ２２９等）と、その発射された遊技球を所定の遊技領域に導く球通路（レールユニット５０の球案内通路）と、遊技領域内に配置された作動口（作動口３３）、可変表示装置（第１図柄表示装置４１）及び可変入賞装置（可変入賞装置３２）とを備え、作動口への遊技球の入球を検知すると可変表示装置に表示される図柄を可変表示し、その停止時の図柄が特定図柄である場合に可変入賞装置を所定態様で開放させるようにした遊技機。」
スロットマシン等の回胴式遊技機：「複数の図柄からなる図柄列（具体的には図柄が付されたリール）を変動表示（具体的にはリールの回動）した後に図柄列を確定停止表示する可変表示手段（具体的にはリールユニット）を備え、始動用操作手段（具体的にはスタートレバー）の操作に起因して図柄の変動が開始され、停止用操作手段（具体的にはストップボタン）の操作に起因して又は所定時間経過することにより図柄の変動が停止され、その停止時の確定図柄が特定図柄であることを必要条件として遊技者に有利な特別遊技状態（ボーナスゲーム等）を発生させるようにした遊技機。
【００５２】
球使用ベルト式遊技機：複数の図柄からなる図柄列（具体的には図柄が付されたリール）を変動表示（具体的にはリールの回動）した後に図柄列を確定停止表示する可変表示手段（具体的にはリールユニット）を備え、始動用操作手段（具体的にはスタートレバー）の操作に起因して図柄の変動が開始され、停止用操作手段（具体的にはストップボタン）の操作に起因して又は所定時間経過することにより図柄の変動が停止され、その停止時の確定図柄が特定図柄であることを必要条件として遊技者に有利な特別遊技状態（ボーナスゲーム等）を発生させるようにし、さらに、球受皿（上皿等）を設けてその球受皿から遊技球を取り込む投入処理を行う投入装置と、前記球受皿に遊技球の払出を行う払出装置とを備え、投入装置により遊技球が投入されることにより前記始動用操作手段の操作が有効となるように構成した遊技機。
【００５３】
【発明の実施の形態】
以下、遊技機の一種であるパチンコ遊技機（以下、「パチンコ機」という）の一実施の形態を、図面に基づいて詳細に説明する。図１はパチンコ機１０の正面図、図２はパチンコ機１０の主要な構成を展開又は分解して示す斜視図、図３はパチンコ機１０を構成する本体枠１２の前面構成を示す正面図である。なお、図２，３では便宜上、パチンコ機１０の遊技領域内の構成を空白としている。
【００５４】
図１〜図３に示すように、パチンコ機１０は、当該パチンコ機１０の外殻を形成する外枠１１を備えている。外枠１１は、遊技ホールへの設置の際に、いわゆる島設備に取り付けられる。外枠１１は、木製の板材を全体として矩形枠状に組み合わせた状態とされ、各板材を小ネジ等の離脱可能な締結部材により固定することによって構成されている。従って、釘やリベットを使って各板材を組み付けていた従来構造と比べて構成部材の再利用（リユース）が容易な構成となっている。本実施の形態では、外枠１１の上下方向の外寸は８０９ｍｍ（内寸７７１ｍｍ）、左右方向の外寸は５１８ｍｍ（内寸４８０ｍｍ）となっている。なお、外枠１１を合成樹脂やアルミニウム等の金属によって構成してもよい。
【００５５】
外枠１１の一側部には、本体枠１２が開閉可能に支持されている。その開閉軸線はパチンコ機１０の正面からみて左側に上下へ延びるように設定されており、その開閉軸線を軸心にして本体枠１２が前方側に開放できるようになっている。更に言うと、本パチンコ機１０には右側に遊技球発射ハンドル１８の設置箇所が設けられているため、遊技球発射ハンドル１８とは反対側の側部を中心に本体枠１２を開閉可能としたということができる。本体枠１２は合成樹脂、具体的にはＡＢＳ樹脂により構成されている。ＡＢＳ樹脂を用いることにより、比較的低コストで耐衝撃性の高い本体枠１２を得ることができる。本体枠１２をアルミニウム等の金属によって構成してもよい。なお本実施の形態では、外枠１１と本体枠１２とにより遊技機本体が構成されている。外枠１１に代わる構成として設置枠体を遊技ホール側に予め設けておき、遊技ホールへのパチンコ機１０の設置に際しては本体枠１２を前記設置枠体に組み付ける構成とすることも可能である。かかる構成では、本体枠１２とにより遊技機本体が構成される。
【００５６】
本体枠１２の前面側の下部位置には、前面板１４が設けられている。前面板１４は横長状に形成され、その横幅は本体枠１２の横幅とほぼ一致するように構成されている。前面板１４は、幅方向ほぼ中央部において手前側へ膨出した膨出部１５ａを有するベース部１５と、ベース部１５の膨出部１５ａ内側に設けられ下方にくぼんだ皿形状をなす球受皿としての下皿１６と、下皿１６の奥側の壁面を構成する奥壁パネル１７とを備えている。ベース部１５は本体枠１２に対してネジ等の締結部材により固定されていることから、ベース部１５が本体枠１２に対する取付部を構成している。ベース部１５には膨出部１５ａよりも右方に、手前側へ突出するようにして遊技球発射ハンドル１８が設けられている。奥壁パネル１７には球排出口１７ａが設けられており、球排出口１７ａより排出された遊技球が下皿１６内に貯留されるようになっている。
【００５７】
ベース部１５の膨出部１５ａ前面側にはスライド式の球抜きレバー１９が設けられている。なお、球抜きレバー１９はプッシュ式としてもよい。そして、球抜きレバー１９が操作されると下皿１６の底面に設けられた図示しない閉鎖板が一体に又はリンクを介して移動して球抜き穴が開放され、下皿１６内の貯留球が下方に排出されるよう構成されている。球抜きレバー１９には球抜き穴を塞ぐ側へ球抜きレバー１９を付勢するコイルバネ等の付勢部材が設けられ、球抜きレバー１９の操作が解除された際には付勢部材の付勢力によって閉鎖板が球抜き穴の開放位置に復帰する構成となっている。奥壁パネル１７の球排出口１７ａとは異なる位置には、多数の小孔が集合したスピーカカバー部１７ｂが形成されており、当該パネル１７の後方に設置されたスピーカ２０の出力音がスピーカカバー部１７ｂを通じて前方に発せられるようになっている。
【００５８】
ベース部１５には膨出部１５ａの左方に灰皿２１が設けられている。灰皿２１は、内部に溜まった吸い殻等を除去しやすいように手前側下方に反転可能に取り付けられており、その右側面と背面とでベース部１５に対面している。具体的な図示は省略するが、灰皿２１の右側面には当該灰皿２１を回動可能な状態で片持ち支持するための支軸が設けられ、同背面には灰皿２１が図示のように上方に開口した位置でベース部１５に係止される係止部が設けられている。前面板１４はその大部分が本体枠１２と同様、ＡＢＳ樹脂にて成形されている。前面板１４はパチンコ機１０の前面側に露出されるが、ＡＢＳ樹脂で成形していることによって、装飾等の目的で表面の適宜箇所にメッキを施すことが可能となる。なお、灰皿２１が近くに配置されている関係上、下皿１６と奥壁パネル１７とを構成する部位に関しては難燃性のＡＢＳ樹脂を用い、仮に誤ってたばこ等を置いても燃えにくくなるよう構成することが好ましい。
【００５９】
本体枠１２の前面側の前面板１４を除く範囲には、本体枠１２を覆うようにして前面扉としての前扉枠１３が設けられている。従って、前面板１４と前扉枠１３とにより本体枠１２の前面側全体が覆われている。前扉枠１３は、本体枠１２に対して開閉可能に取り付けられており、本体枠１２と同様、パチンコ機１０の正面からみて左側に上下に延びる開閉軸線を軸心にして前方側に開放できるようになっている。なお、前扉枠１３は前面板１４と同様、ＡＢＳ樹脂にて成形されている。前扉枠１４はパチンコ機１０の前面側に露出されるが、ＡＢＳ樹脂で成形していることによって、装飾等の目的で表面の適宜箇所にメッキを施すことが可能となる。
【００６０】
前扉枠１３の下部位置には、下皿１６の上方において手前側へ膨出した膨出部２２が設けられ、その膨出部２２内側には上方に開口した上皿２３が設けられている。上皿２３は、後述する払出装置より払い出された遊技球を一旦貯留し、一列に整列させながら遊技球発射装置側へ導くための球受皿である。膨出部２２前面側には上皿２３用の球抜きレバー２４が設けられており、この球抜きレバー２４を操作すると上皿２３の最下流部付近に設けられた球抜き通路（図示略）が開放され、上皿２３内の貯留球が下皿１６へ排出されるようになっている。なお、上皿２３も下皿１６等と同様、難燃性のＡＢＳ樹脂にて構成することが可能である。
【００６１】
本パチンコ機１０では、ガラス扉枠と前飾り枠とを個別に設けこれらを前面枠（本実施の形態の本体枠に相当）に対して各々開閉可能とすると共に前飾り枠に上皿を設けていた従来構成と異なり、ガラス扉枠と前飾り枠とを１つに統合して前扉枠１３とし、前扉枠１３に対して一体的に上皿２３を設ける構成としている。この場合、ガラス扉枠と前飾り枠とを１つに統合して前扉枠１３としたため、当該前扉枠１３の強度向上が実現できる。つまり、本パチンコ機１０では、遊技領域の拡張を図ることとしているため、前扉枠１３の視認窓（図１の窓部１０１）を拡大している。従って、ガラス周囲の枠部分が幅狭になり、強度低下の問題が懸念されるが、ガラス下方に上皿一体の枠部分を設けること等により前扉枠１３の十分な強度が確保できる。
【００６２】
また、前扉枠１３は、少なくともその開閉の際に遊技球発射ハンドル１８と干渉しないようにして下方に拡張されている。具体的な数値を示すと、パチンコ機下端から前扉枠１３の下端までの寸法Ｌａは、既存の一機種で例えば約２０１ｍｍであるのに対し、本パチンコ機１０では３０ｍｍ程小さく、約１７２ｍｍとなっている。また、これに伴いパチンコ機下端から上皿２３の上端までの寸法Ｌｂも小さくなっており、既存の一機種では例えば約２９８ｍｍであるのに対し、本パチンコ機１０では約２６１ｍｍとなっている。ここで、上皿２３の位置を下げたことにより、遊技ホールにおいてパチンコ機１０左側に並設される球貸し装置のノズル先端との上下方向の距離が大きくなって貸球のこぼれ落ち等が懸念されるが、本実施の形態では、当該ノズルからの貸球排出部分となる左側部分において、膨出部２２の壁面を他の壁面より高くした立ち上げ部２２ａを形成している。これにより、上皿２３の位置を下げた構成にあっても貸球のこぼれ落ち等の不都合が解消されるようになっている。立ち上げ部２２ａの高さ寸法は上皿２３の下げ寸法に見合うものであれば良く、その最大高さ寸法は本実施の形態では２５ｍｍとされている。
【００６３】
なお、前扉枠１３においては、上皿形成のための膨出部２２が手前側に大きく膨出して設けられるが、上皿２３より上方のそれ以外の部位（後述する環状電飾部１０２等）は、球貸し装置のノズルとの干渉を避けるべく手前側への膨出が制限されている。具体的には、外枠１１からの手前側への寸法が４５〜５０ｍｍに制限されている。
【００６４】
図３に示すように、本体枠１２は、外形が前記外枠１１とほぼ同一形状をなす樹脂ベース２５を主体に構成されており、樹脂ベース２５の中央部には略円形状の窓孔２６が形成されている。樹脂ベース２５の後側には遊技盤３０が着脱可能に装着されている。図４に示すように、遊技盤３０は略四角形状の合板よりなり、その周縁部が樹脂ベース２５の裏側に当接した状態で取着されている。すなわち、遊技盤３０はパチンコ機１０後方より取り付けられ、遊技盤３０の前面部の略中央部分だけが樹脂ベース２５の窓孔２６を通じて本体枠１２の前面側に露出した状態となっている。なお、遊技盤３０は、従来と同様、上下方向の長さは４７６ｍｍ、左右方向の長さは４５２ｍｍとなっている。
【００６５】
次に、遊技盤３０の構成を図４に基づいて説明する。遊技盤３０には、ルータ加工が施されることによって前後方向に貫通する大小複数の開口部が形成されている。各開口部には一般入賞口３１、可変入賞装置３２、作動口３３、スルーゲート３４及び可変表示ユニット３５等がそれぞれ設けられている。実際には、一般入賞口３１、可変入賞装置３２、作動口３３、スルーゲート３４及び可変表示ユニット３５は木ねじ等により遊技盤表面に取り付けられている。本実施の形態では、可変表示ユニット３５が遊技盤３０の略中央に配置され、その下方に作動口３３が配置され、さらにその下方に可変入賞装置３２が配置されている。また、可変表示ユニット３５の左右両側にスルーゲート３４が配置され、遊技盤３０の下部両側に一般入賞口３１がそれぞれ複数配置されている。作動口３３には、所定の条件下で作動状態（開放状態）となる電動役物が付随的に設けられている。前記一般入賞口３１、可変入賞装置３２及び作動口３３に遊技球が入ると、それが後述する検出スイッチにより検出され、その検出結果に基づいて上皿２３（場合によっては下皿１６）に対し所定数の賞品球が払い出される。その他に、遊技盤３０の最下部にはアウト口３６が設けられており、各種入賞口等に入らなかった遊技球はアウト口３６を通って図示しない球排出路の方へと案内されるようになっている。アウト口３６は、遊技盤３０の下端略中央を逆Ｕ字状に切り欠いて形成されている。そのため、アウト口を穴状に形成していた従来構成に比べ、アウト口形成が容易となる（但し、図４では手前側にレールユニット５０が重ねて設けられているため、アウト口３６が閉じた状態で示されている）。また、遊技盤３０には、遊技球の落下方向を適宜分散、調整等するために多数の釘が植設されていると共に、風車３７等の各種部材（役物）が配設されている。
【００６６】
遊技盤３０の左右両側部には、組付相手である本体枠１２の左右両側からの張出領域との干渉を回避するように凹部としての切欠３８が複数箇所に形成されている。
【００６７】
前述したとおり、本パチンコ機１０では上皿２３の位置を下げられており、それに伴い上皿２３の最下流部に設けた遊技球の取込口の位置も同様に下げられている。この場合、遊技球取込口が比較的高い位置にあった従来構成では、遊技球取込口と遊技盤３０とが前後に重なり、遊技盤３０には遊技球取込口に対応する切欠を設ける必要があったが、本パチンコ機１０では、遊技球取込口を下げたことにより遊技球取込口と遊技盤３０とが前後に重なることがなく、遊技球取込口用の切欠の形成が不要となる。故に、遊技盤３０の製作工程上、有利な構成となる。
【００６８】
可変表示ユニット３５には、作動口３３への入賞をトリガとして第１図柄（特別図柄）を変動表示する第１図柄表示装置４１が設けられている。可変表示ユニット３５には、第１図柄表示装置４１を囲むようにしてセンターフレーム４３が配設されている。センターフレーム４３の上部には、第１図柄表示装置４１に対応した保留ランプ４４が設けられている。遊技球が作動口３３を通過した回数は最大４回まで保留され、保留ランプ４４の点灯によってその保留個数が表示されるようになっている。なお、保留ランプ４４は、第１図柄表示装置４１の一部で変動表示される構成等であっても良い。また、センターフレーム４３の上部中央には、スルーゲート３４の通過をトリガとして第２図柄（普通図柄）を変動表示する第２図柄表示装置４２が設けられている。センターフレーム４３の下部には、第２図柄表示装置４２に対応した保留ランプ４６が設けられている。遊技球がスルーゲート３４を通過した回数は最大４回まで保留され、保留ランプ４６の点灯によってその保留個数が表示されるようになっている。なお、保留ランプ４６は、前記保留ランプ４４と同様に、第１図柄表示装置４１の一部で変動表示される構成等であっても良い。
【００６９】
第１図柄表示装置４１は８インチサイズの比較的大型の液晶ディスプレイを備えた液晶表示装置として構成されており、後述する表示制御装置により表示内容が制御される。第１図柄表示装置４１には、例えば左、中及び右に並べて第１図柄が表示され、これらの図柄が上下方向にスクロールされるようにして可変表示されるようになっている。なお、第１図柄表示装置４１は、８インチ以外の１０インチ，７インチ等の液晶ディスプレイを備えたもの、ワイドサイズのディスプレイを備えたもの、又はＣＲＴ，ドットマトリックス，７セグメント等その他のタイプにより表示画面を構成したものであってもよい。
【００７０】
第２図柄表示装置４２は、例えば「○」、「×」の２種類の第２図柄を表示する表示部４５を備えている。そして、遊技球がスルーゲート３４を通過する毎に表示部４５の表示図柄（第２図柄）が変動し、その変動表示が所定図柄（例えば「○」図柄）で停止した場合に、作動口３３に付随する電動役物が所定時間だけ開放状態となるよう構成されている。具体的な変動態様は、遊技球がスルーゲート３４を通過すると、「○」と「×」の表示が付された部分の背面に内蔵された各ＬＥＤが交互に点灯され、最終的に「○」か「×」の一方に対応したＬＥＤのみが点灯されるというものである。なお、表示部４５は、複数のランプ（ＬＥＤ）を交互に点灯させることにより変動表示される構成の他、第１図柄表示装置４１（液晶表示装置）の一部で変動表示される構成等であってもよい。
【００７１】
可変入賞装置３２は、通常は遊技球が入賞できない又は入賞し難い閉状態になっており、特別遊技状態（以下、大当たりという）の際に遊技球が入賞しやすい所定の開放状態に切り換えられるようになっている。より詳しくは、作動口３３に遊技球が入賞すると第１図柄表示装置４１で第１図柄が変動表示され、その停止後の確定図柄が予め設定した特定の図柄の組合せとなった場合に大当たりが発生する。そして、可変入賞装置３２が所定の開放状態となり、遊技球が入賞し易い状態になるよう構成されている。可変入賞装置３２の開放態様としては、所定時間（例えば３０秒間）の経過又は所定個数（例えば１０個）の入賞を１ラウンドとして、可変入賞装置３２内の継続入賞口への入賞を条件として次ラウンドへの移行条件成立とし、複数ラウンド（例えば１５ラウンド）を上限として可変入賞装置３２が繰り返し開放されるものが一般的である。
【００７２】
遊技盤３０には、遊技球発射装置から発射された遊技球を遊技盤３０上部へ案内するためのレール部材としてのレールユニット５０が取り付けられており、遊技球発射ハンドル１８の回動操作に伴い発射された遊技球はレールユニット５０を通じて所定の遊技領域に案内されるようになっている。レールユニット５０はリング状をなす樹脂成型品にて構成されており、より具体的には、摩擦抵抗を低減するべくフッ素配合のポリカーボネート樹脂が用いられている。レールユニット５０は、内外二重に設けられた内レール部５１と外レール部５２とを有する。内レール部５１は上方の約１／４ほどを除いて略円環状に形成され、外レール部５２は内レール部５１の上方開放領域を囲むようにかつ内レール５１の左側部と並行するように略半円環状に形成されている。
【００７３】
内レール部５１は、他の樹脂部分と一体成型され、遊技盤３０の面上にほぼ垂直に起立して設けられている。また、外レール部５２は、内レール部５１と同様に他の樹脂部分と一体成型され、遊技盤３０の面上にほぼ垂直に起立して設けられた支持部５２ａを有し、その支持部５２ａの内側面に、遊技球の飛翔をより滑らかなものとするための摺動プレート５２ｂが取り付けられている。摺動プレート５２ｂは、長尺状をなすステンレス製の金属帯よりなり、複数箇所で支持部５２ａに支持されている。かかる場合、内レール部５１と外レール部５２とにより誘導レールが構成され、これら各レール部５１，５２が所定間隔を隔てて対向する部分により球案内通路が形成されている。なお、内外のレール部５１，５２が対向する部位では、遊技盤３０との当接部５３により各レール部５１，５２が連結されており、球案内通路は手前側に開放した溝状に形成されている。
【００７４】
レールユニット５０において、前記球案内通路より遊技球が飛び出す部位（図４の左上部）には戻り球防止部材５４が取着され、該飛び出した遊技球の最大飛翔部分に対応する部位（図４の右上部）には返しゴム５５が取着されている。戻り球防止部材５４により、一旦球案内通路から遊技盤３０の上部へと飛び出した遊技球が球案内通路内に戻ってしまうといった事態が防止される。また、所定以上の勢いで発射された遊技球は返しゴム５５に当たり、遊技領域の中央寄りに跳ね返されるようになっている。
【００７５】
レールユニット５０の外周部には、外方へ張り出した円弧状のフランジ５６が形成されている。フランジ５６は、遊技盤３０に対する取付面を構成する。レールユニット５０が遊技盤３０に取り付けられる際には、遊技盤３０上にフランジ５６が当接され、その状態で、当該フランジ５６に形成された複数の透孔にネジ等が挿通されて遊技盤３０に対するレールユニット５０の締結がなされる。ここで、レールユニット５０の上下及び左右の各端部は略直線状に形成されている。つまり、レールユニット５０の上下及び左右の各端部においてはフランジ５６が切り落とされ、パチンコ機１０における有限の領域にてレール径の拡張、すなわち遊技盤３０上の遊技領域の拡張が図られるようになっている。レールユニット５０は、遊技盤３０上の遊技領域の最大幅となる位置が遊技盤３０の左右端位置に至るように配設されている。なお、レールユニット５０の球案内通路に対応する部位のなかでも特に遊技球の受け入れ部位に関しては、当該レールユニット５０を強固に取り付けて遊技球の飛びを安定させるべく、該当するフランジ５６が他よりも多い箇所（本実施の形態では３カ所、他は２カ所）でネジ止めされている。
【００７６】
内レール部５１及び外レール部５２間の球案内通路の入口には、同球案内通路の一部を閉鎖するようにして凸部５７が形成されている。凸部５７は、内レール部５１の外周部から下方へ延びるように形成され、遊技領域まで至らず球案内通路内を逆流してくるファール球をファール球通路７６（図３参照）に導く機能を有する。遊技盤３０の右下隅部及び左下隅部は、証紙等のシールやプレートを貼着するためのスペース（図のＳａ，Ｓｂ）となっており、この貼着スペースを確保するために、フランジ５６に切欠５８ａ，５８ｂが形成されている。証紙等のシールを遊技盤３０に直接貼り付ける構成とすることで、証紙等の不正な貼り直し等が行いにくいものとなっている。
【００７７】
遊技盤３０においてレールユニット５０よりも外方の左上部には、前後に貫通した中継端子孔５９が設けられており、この中継端子孔５９を通じて、遊技盤裏面に設置した中継端子板の接続コネクタ６０がパチンコ機１０前面側に露出されるようになっている。
【００７８】
次に、遊技領域について説明する。遊技盤３０の盤面はレールユニット５０（内外レール部５１，５２）により内外領域に区画され、略円形状に区画された内側領域が遊技領域とされている。特に本実施の形態では、遊技盤３０の盤面上に区画される遊技領域が従来よりもはるかに大きく構成されている。本実施の形態では、外レール部５２の最上部地点から遊技盤３０下部までの間の距離は４４５ｍｍ（従来品よりも５８ｍｍ長い）、外レール部５２の極左位置から内レール部５１の極右位置までの間の距離は４３５ｍｍ（従来品よりも５０ｍｍ長い）となっている。また、内レール部５１の極左位置から内レール部５１の極右位置までの間の距離は４１８ｍｍとなっている。
【００７９】
本実施の形態では、遊技領域を、パチンコ機１０の正面から見て内レール部５１及び外レール部５２によって囲まれる領域のうち、内外レール部５１，５２の対向部分である球案内通路の領域を除いた領域として説明する。つまり、遊技領域は球案内通路部分を含まないため、遊技領域の向かって左側限界位置は外レール部５２によってではなく内レール部５１によって特定される。また、遊技領域の向かって右側限界位置は内レール部５１によって特定され、遊技領域の下側限界位置はアウト口３６が形成された遊技盤３０の下端位置によって特定され、遊技領域の上側限界位置は外レール部５２によって特定される。従って、本実施の形態では、遊技領域の幅（左右方向の最大幅）は、４１８ｍｍであり、遊技領域の高さ（上下方向の最大幅）は、４４５ｍｍである。
【００８０】
ここで、前記遊技領域の幅は、少なくとも３８０ｍｍ以上あることが望ましい。より好ましくは４００ｍｍ以上、４１０ｍｍ以上、４２０ｍｍ以上、４３０ｍｍ以上、４４０ｍｍ以上、４５０ｍｍ以上、さらに４６０ｍｍ以上であることが望ましい。すなわち、遊技領域の幅寸法は、遊技領域拡大という観点からは大きい程好ましい。また、遊技領域の高さは、少なくとも４００ｍｍ以上あることが望ましい。より好ましくは４１０ｍｍ以上、４２０ｍｍ以上、４３０ｍｍ以上、４４０ｍｍ以上、４５０ｍｍ以上、さらには４６０ｍｍ以上であることがより望ましい。もちろん、４７０ｍｍ以上又は４８０ｍｍ以上としてもよい。すなわち、遊技領域の高さ寸法は、遊技領域拡大という観点からは大きい程好ましい。なお、上記幅及び高さの組合せについては、上記数値を任意に組み合わせたものとすることができる。なお、遊技領域の幅又は高さが一定値以上となると、遊技領域の一部が遊技盤３０の盤面を越えることも考えられるが、その越えた領域については他の部材を遊技盤面に沿って設けること等によって補えばよい。
【００８１】
本実施の形態では、遊技盤３０面に対する遊技領域の面積の比率は約７０％と、従来に比べ格段に面積比が大きいものとなっている。なお、遊技盤３０面に対する遊技領域の面積比は、従来では５０％程度に過ぎなかったことから、本実施の形態のように従来と同様の大きさの遊技盤３０を使用している前提下では相当に遊技領域を拡大しているといえる。なお、パチンコ機１０の外形は遊技ホールへの設置の都合上製造者間でほぼ統一されており、遊技盤３０の大きさも同様とせざるを得ない状況下において、上記のように遊技盤３０面に対する遊技領域の面積の比率を約２０％も高めたことは、遊技領域拡大の観点で非常に有意義である。ここで、前記比率は、少なくとも６０％以上であることが望ましい。さらに好ましくは６５％以上であり、より好ましくは７０％以上である。また、本実施形態の場合を越えて７５％以上であれば、一層望ましい。さらには、８０％以上であってもよい。なお、８０％以上を確保するには遊技領域の形状を略円形状とすることは困難となるため、隅部（例えば右下隅部や右上隅部）を拡張したような形状とすることが好ましい。
【００８２】
また、パチンコ機１０全体の正面側の面積に対する遊技領域の面積の比率は約４０％と、従来に比べ格段に面積比が大きいものとなっている。なお、パチンコ機１０全体の正面側の面積に対する遊技領域の面積比は、３５パーセント以上であるのが望ましい。もちろん、４０パーセント以上としてもよいし、４５パーセント以上、又は５０パーセント以上としてもよい。
【００８３】
遊技領域の拡張に関連して、可変表示ユニット３５の両側に位置するスルーゲート３４は、該ゲート３４を通過した遊技球が中央の方へ寄せられるような案内機構を有している。これにより、遊技領域が左右方向に拡張されている場合であっても、遊技球を中央の作動口３３や可変入賞装置３２の方へと案内することができ、ひいては、遊技領域が拡張されることにより遊技球が入賞しにくくなることによる興趣の低下が抑制されるようになっている。また、遊技領域が左右方向に拡張されていることによって、比較的大型の可変表示ユニット３５を遊技領域中央に設けても、可変表示ユニット３５の左右両側にスルーゲート３４、風車３７、複数の釘（遊技球を中央に誘導するための三角釘等の誘導釘）、他の役物などを余裕をもって配設することができ、可変表示ユニット３５の左右両側の遊技領域での遊技球の流れが単調とならず、遊技球の挙動を存分に楽しませることができる。
【００８４】
遊技盤３０の左右両側部に切欠３８が形成されて本体枠１２の左右両側からの張出領域との干渉が回避されていること、レールユニット５０において遊技盤３０上の遊技領域の最大幅となる位置が遊技盤３０の左右端位置にまで至るようになっていることは既に述べたが、更に後述するように、本体枠１２の左右両側部に設けられる補強部材（軸受け金具２３５：図１４参照）と施錠装置（基枠２４７、連動杆２４８等：図１４参照）とを配置するための領域を残した幅となるようにして本体枠１２に遊技盤３０が取り付けられている。これらのことからも、遊技領域の拡張が図られている。
【００８５】
図３の説明に戻り、前記樹脂ベース２５において、窓孔２６（遊技盤３０）の下方には、遊技球発射装置より発射された直後に遊技球を案内するための発射レール６１が取り付けられている。発射レール６１は、その後方の金属板６２を介して樹脂ベース２５に取付固定されており、所定の発射角度（打ち出し角度）にて直線的に延びるよう構成されている。従って、遊技球発射ハンドル１８の回動操作に伴い発射された遊技球は、まずは発射レール６１に沿って斜め上方に打ち出され、その後球案内通路を通じて遊技領域に案内される。前述のとおり遊技領域が従来よりも大幅に拡張されたことにより、球案内通路の曲率は小さくなっているため、打出球を安定化させるための工夫が必要となる。そこで、本実施の形態では、遊技球の発射位置を低くして発射レール６１の傾斜角度（発射角度）を既存のものよりも幾分大きくし（すなわち発射レール６１を立ち上げるようにし）、また発射レール６１を遊技球発射装置の発射位置から遊技領域の中央位置（アウト口３６）を越える位置まで延びるよう形成することで発射レール６１の長さを既存のものよりも長くして十分な長さの球誘導距離を確保するようにしている。これにより、遊技球発射装置から発射された遊技球をより安定した状態で球案内通路に案内できるようにしている。さらに打出球の安定化を図るべく、発射レール６１を設置した金属板６２を大型化すると共に該金属板６２を多数箇所（本実施の形態では１５〜２０カ所）でネジ止めしており、これにより発射レール６１が遊技盤３０に対して強固に位置決めされている。
【００８６】
発射レール６１と球案内通路との間には所定間隔の隙間があり、この隙間より下方にファール球通路７６が設けられている。従って、仮に遊技球発射装置から発射された遊技球が戻り球防止部材５４まで至らずファール球として球案内通路内を逆戻りする場合には、そのファール球がファール球通路７６を介して下皿１６に排出される。因みに、本実施の形態の場合、発射レール６１の長さは約２４０ｍｍ、発射レール先端部のファール球通路７６に通じる隙間の長さ（発射レール６１の延長線上の長さ）は約４０ｍｍである。
【００８７】
ファール球が球案内通路内を逆流してくる際、その多くは外レール部５２に沿って流れ、外レール部５２の下端部に到達した時点で下方に落下するが、一部のファール球は球案内通路内で暴れ、内レール部５１側へ跳ね上がるものもある。この際、跳ね上がったファール球は、球案内通路入口の前記凸部５７に当たり、ファール球通路７６に誘導される。これにより、ファール球の全てがファール球通路７６に確実に案内され、ファール球と次に発射される遊技球との干渉が抑制される。
【００８８】
なお、詳しい図面の開示は省略するが、遊技球発射装置には、前扉枠１３側の球出口（上皿２３の最下流部より通じる球出口）から遊技球が１つずつ供給される。この際、本実施の形態では遊技球の発射位置を低くしたため、前扉枠１３側の球出口から前記発射位置への落差が大きくなるが、発射レール６１の発射基端部付近にはその右側と手前側にそれぞれガイド部材６３，６４を設置してある。これにより、前扉枠１３側の球出口から供給される遊技球が常に所定の発射位置にセットされ、安定した発射動作が実現できる。また、遊技球発射装置には、基端部を中心に回動可能に支持された打球槌が設けられ、打球槌の回動に伴い遊技球が発射されるが、打球槌に関して軽量化が望まれている。それ故、アルミニウム等の軽金属への材料変更や槌シャフト部寸法の縮小化により打球槌の軽量化を図る一方で、十分な発射力を確保すべく、打球槌のヘッド部（基端部と反対側の先端部）に重り部を設けている。これにより、十分でかつ安定した遊技球の発射が実現できる。打球槌の重り部を上方に突出して設けることにより、打球槌を容易に摘んだりひっかけたりすることができ、槌先の打球強さの調整等がし易くなるという効果も得られる。
【００８９】
また、本体枠１２の前面において発射レール６１の左側には、左右一対の排出口６６，６７が形成されると共に、その前方に、排出口６６，６７より排出された遊技球を上皿２３又は下皿１６の何れかに案内するための遊技球案内ユニット７０が取り付けられている。便宜上以下の説明では、排出口６６を第１排出口、排出口６７を第２排出口ともいう。これら排出口６６，６７は、本体枠１２の背面に設けられた遊技球分配部２４５（図１５参照）に通じており、基本的に第１排出口６６より遊技球の排出が行われ、この第１排出口６６も含め上皿２３に通じる通路が遊技球で一杯になると、第１排出口６６に代えて第２排出口６７より遊技球の排出が行われるようになっている。
【００９０】
遊技球案内ユニット７０は、ポリカーボネート樹脂等の透明な樹脂材料により内部を視認可能に構成され、本体枠１２に対して前扉枠１３を閉鎖した状態で本体枠１２と前扉枠１３との間に収まるよう厚みが比較的薄くなるように形成されている。遊技球案内ユニット７０には、前述のファール球通路７６が一体的に形成されている。遊技球案内ユニット７０には、前記排出口６６，６７と下皿１６とを連通するための球排出通路７１が形成されている。遊技球案内ユニット７０には、本体枠１２の第１排出口６６の手前側に、上皿２３に連通する連通口７２が形成され、連通口７２を閉鎖するようにして開閉プレート７３が取り付けられている。開閉プレート７３は支軸７４により回動可能に支持され、付勢手段としてのバネ７５により連通口７２を閉鎖する位置に常時付勢されている。
【００９１】
遊技球案内ユニット７０の上記構成によれば、前扉枠１３を開放した状態ではバネ７５の付勢力により開閉プレート７３が図示の如く起き上がり、連通口７２を閉鎖する。この状態では、第１排出口６６より排出される遊技球が球排出通路７１を通じて下皿１６に案内される。従って、連通口７２の上流側に遊技球が貯留されている状態で前扉枠１３を開放した場合、その貯留球は連通口７２よりこぼれ落ちることなく、球排出通路７１を通じて下皿１６に流下する。つまり、前飾り枠が省略され前扉枠１３に対して上皿２３が直接設けられる構成とした本パチンコ機１０にあっても、前扉枠１３の開放に際し連通口７２の上流側にある遊技球がこぼれ落ちてしまうといった不都合が防止できる。これに対し、前扉枠１３を閉鎖した状態では、前扉枠１３の裏面に設けられた球通路樋１３８（図２参照）によりバネ７５の付勢力に抗して開閉プレート７３が押し開けられる。この状態では、第１排出口６６より排出される遊技球が連通口７２を介して上皿２３に案内される。従って、連通口７２より上流側の遊技球は上皿２３に払い出される。なお、遊技球案内ユニット７０の球排出通路７１下流側には、下皿１６に排出された遊技球が一杯（満タン）になったことを検知する下皿満タンスイッチが取り付けられている。
【００９２】
樹脂ベース２５には、窓孔２６の右下部に略四角形状の小窓７８が設けられている。従って、遊技盤３０の右下隅部スペース（図４のＳａ）に貼られた証紙等は、この小窓７８を通じて視認できるようになっている。この小窓７８から遊技盤３０上に証紙等を直接貼り付けることも可能である。
【００９３】
樹脂ベース２５には、窓孔２６の左上部にも小窓７９が設けられている。この小窓７９は、図４で説明した遊技盤３０の中継端子孔５９に対応する位置にそれとほぼ同一の形状で設けられ、中継端子孔５９及び小窓７９を通じて、遊技盤裏面に設置した中継端子板の接続コネクタ６０が本体枠１２の前面側に露出される。かかる構成において、前扉枠１３側に設けた各種ランプに対しては、本体枠１２（樹脂ベース２５）の小窓７９より露出した接続コネクタ６０を介して電気的な接続がなされている。樹脂ベース２５の上部には、前扉枠１３の開放の状態を検出するための前扉枠開放スイッチ２７が設けられている。前扉枠開放スイッチ２７は、樹脂ベース２５の前面に出没可能なピンを有しており、本体枠１２に対して前扉枠１３を閉じた状態ではピンが押し込まれて前扉枠１３の閉鎖が検知され、本体枠１２に対して前扉枠１３を開いた状態ではピンが突出位置に戻って前扉枠１３の開放が検知されるようになっている。樹脂ベース２５の左右２カ所には、本体枠１２に対して前扉枠１３を閉じた際に前扉枠１３背面の金具類（図５に示す補強板１３１〜１３４）に接触し、且つその金具類を本体枠１２側に導通させてアース（接地）するための金属片２８ａ，２８ｂが取り付けられている。従って、金属片２８ａ，２８ｂを通じて、前扉枠１３背面の金具類が本体枠１２側の施錠装置やヒンジ金具に導通され、これら施錠装置やヒンジ金具と共にアースされる。
【００９４】
本体枠１２の左端側（開閉軸線側）には、前扉枠１３を開閉可能に支持するための支持機構として、上下一対の支持金具８１，８２が取り付けられている。上側の支持金具８１には手前側に切欠を有する支持孔８３が設けられ、下側の支持金具８２には上方へ突出する突起軸８４が設けられている。なお、支持金具８１，８２に支持される前扉枠１３の具体的構成については後述する。また、本体枠１２の右端側（開閉軸線とは反対側）には、前扉枠１３裏面側の開放端側に設けた上下一対の鉤金具１５５，１５６（図２参照）を挿入するための挿入孔８７，８８がそれぞれ設けられている。本パチンコ機１０では、本体枠１２や前扉枠１３を施錠状態とするための施錠装置が本体枠１２の裏面側に隠れて配置される構成となっている。従って、鉤金具１５５，１５６が挿入孔８７，８８を介して施錠装置に係止されることによって、前扉枠１３が本体枠１２に対して開放不能に施錠される。
【００９５】
本体枠１２の右下隅部には、外枠１１に対する本体枠１２の施錠及び解錠、並びに本体枠１２に対する前扉枠１３の施錠及び解錠を行うための鍵部材としてのシリンダ錠９１が設置されている。シリンダ錠９１は施錠装置に一体化されており、施錠装置のうちシリンダ錠９１だけが本体枠１２の前方に突出した状態で設けられている。この場合、シリンダ錠９１は、遊技領域の最大幅となる位置とは異なる位置に設けられている。シリンダ錠９１は、本体枠１２の施解錠と前扉枠１３の施解錠とを共に賄う機能を有しており、鍵穴に差し込んだキーを左（反時計回り方向）に回すと本体枠１２の施錠が解かれ、逆にキーを右（時計回り方向）に回すと前扉枠１３の施錠が解かれるようになっている。
【００９６】
図２に示すように、本体枠１２には、シリンダ錠９１を囲むようにして縦長状のカバー部材９２が取り付けられている。詳細な図示は省略するが、カバー部材９２には、その上端部及び下端部に係止部（フック）が形成されている。従って、上側の係止部を本体枠１２側に係止させると共に、下側の係止部を本体枠１２と前面板１４との間に挟み込むことにより、カバー部材９２が本体枠１２に取り付けられる。前扉枠１３には、カバー部材９２の形状に合わせて切欠部１４５が形成されており、前扉枠１３を閉鎖した状態ではこの前扉枠１３と共にカバー部材９２がパチンコ機前面部を構成する。なお、前扉枠１３を閉鎖したとき、カバー部材９２に形成された鍔部が前扉枠１３により押さえられ、カバー部材９２のがたつきが防止されるようになっている。
【００９７】
次に、前扉枠１３について図１，図５を参照しつつ説明する。なお、図５は、前扉枠１３の背面図である。
【００９８】
前扉枠１３には遊技領域のほぼ全域を前方から視認することができるようにした視認窓としての窓部１０１が形成されている。窓部１０１は、円形に近い略楕円形状をなし、より詳しくは、その左右側の略中央部が上下側に比べて緩やかに湾曲した形状となっている。なお、前記略中央部が直線状になる形状であってもよい。前扉枠１３の窓部１０１上方において、最も狭い部位のフレーム幅は約６１ｍｍである。本実施の形態における上記フレーム幅寸法は、本体枠１２において外レール部５２の最上部（遊技領域の上端）と本体枠１２の上端との間の距離とほぼ一致するものであって、８５ｍｍ〜９５ｍｍ程度の上記フレーム幅を有する従来機種に比べて著しく短くなっている。これにより、遊技領域における上部領域の視認性が確保されやすくなると共に、大型の可変表示ユニット３５も比較的上方に配置することができるようになっている。窓部１０１上方のフレーム幅（最狭部位）の寸法は８０ｍｍ以下であることが望ましく、より望ましくは７０ｍｍ以下であり、さらに望ましくは６０ｍｍ以下である。もちろん、所定の強度が確保できるのであれば、５０ｍｍ以下としても差し支えない。
【００９９】
前扉枠１３の左右のフレーム部分は、フレーム幅を小さくするには制約があり、前扉枠１３の強度を確保するのに十分な幅寸法を必要とする。本実施の形態では、左右の各フレーム部分において最も狭い部位のフレーム幅を何れも約４４ｍｍとしている。この場合、本パチンコ機１０にあっては遊技領域を大幅に拡張したことから、パチンコ機１０の正面から見て左側すなわち開閉軸線側では、前扉枠１３のフレーム幅が上記の通り約４４ｍｍとなるのに対し、レールユニット５０の外レール部５２の左端位置と本体枠１２の左端位置との距離が約２１ｍｍとなり、後者の寸法がかなり小さいものとなっている。つまり本構成では、前扉枠１３を閉鎖した状態において、球案内通路の一部が、前扉枠１３の左側フレーム部分と重複し覆い隠されるようになる。しかしながら、球案内通路において遊技球が一時的に視認困難となったとしても、かかる球案内通路は遊技球が遊技領域に案内されるまでの通過領域に過ぎず、遊技者が主として遊技を楽しむ遊技領域において遊技球が視認困難となるわけではない。そのため、実際の遊技に際しては何ら支障が生じない。以上により、前扉枠１３の十分な強度を確保しつつも、遊技に何ら支障を及ぼすことなく遊技領域の拡張が可能となる。
【０１００】
前扉枠１３の下端部における左右両側には、本体枠１２表面や遊技盤３０表面等（証紙等を含む）の一部を視認できるよう透明樹脂を取り付けた小窓１０７が設けられている。小窓１０７に取り付けられる透明樹脂は、その内部の証紙等を工場等で容易に機械読み取りできるよう平坦状に構成される。但し、小窓１０７に、内部の証紙等をホール作業者等が容易に目視できるよう拡大レンズ部を設けることも可能である。
【０１０１】
前扉枠１３にはその周囲（例えばコーナー部分）に各種ランプ等の発光手段が設けられている。これら発光手段は、大当たり時や所定のリーチ時等における遊技状態の変化に応じて点灯、点滅のように発光態様が変更制御されることにより、遊技中の演出効果を高める役割を果たす。例えば、窓部１０１の周縁に沿ってＬＥＤ等の発光手段を内蔵した環状電飾部１０２が左右対称に設けられ、環状電飾部１０２の中央であってパチンコ機１０の最上部にはＬＥＤ等の発光手段を内蔵した中央電飾部１０３が設けられている。本パチンコ機１０では、中央電飾部１０３が大当たりランプとして機能し、大当たり状態時に点灯や点滅を行うことにより大当たり中であることを報知する。また、上皿２３周りにも、同じくＬＥＤ等の発光手段を内蔵した上皿電飾部１０４が設けられている。その他、中央電飾部１０３の左右側方には、賞球払出中に点灯する賞球ランプ１０５と所定のエラー時に点灯するエラー表示ランプ１０６とがそれぞれ設けられている。なお、環状電飾部１０２は、内外二重の樹脂カバー層とその内側に収容された発射板付き発光体（ＬＥＤ）とよりなり、樹脂カバー層の各々の内側面には各層で縦横に交差する向きに突条（又は波状の突起）が設けられている。外側の樹脂カバー層は透明であり、内側の樹脂カバー層は有色である。従って、環状電飾部１０２を発光させれば、多数に分散化された状態、又は立体感を伴った状態の電飾が実現できるようになる。樹脂カバー層には、ガラス粉末入りの樹脂材料を用いると良い。このような樹脂カバー層の構成は、他の電飾部（例えば中央電飾部１０３や賞球ランプ１０５）に適用することもできる。
【０１０２】
前扉枠１３には、窓部１０１の下方位置に、貸球操作部１２０が配設されている。貸球操作部１２０には球貸しボタン１２１と、返却ボタン１２２と、度数表示部１２３とが設けられている。パチンコ機１０の側方に配置されたカードユニット（球貸しユニット）に紙幣やカード等を投入した状態で、貸球操作部１２０によって球貸し操作、カード返却操作及びカード度数の確認を行うことができる。すなわち、球貸しボタン１２１は、カード等（記録媒体）に記録された情報に基づいて貸出球を得るために操作されるものであり、カード等に残額が存在する限りにおいて貸出球が払い出される。返却ボタン１２２は、カードユニットに挿入されたカード等の返却を求める際に操作される。度数表示部１２３はカード等の残額情報を表示するものである。なお、カードユニットを介さずに球貸し装置等から上皿に遊技球が直接貸し出されるパチンコ機（いわゆる現金機）では貸球操作部１２０が不要となるが、かかる場合には、貸球操作部１２０の設置部分に飾りシール等が付されるようになっている。これにより、貸球操作部１２０を設けた本パチンコ機１０の構成において、カードユニットを用いたパチンコ機（いわゆるＣＲ機）と現金機との共用が可能となる。
【０１０３】
前扉枠１３の裏側には、窓部１０１を囲むようにして金属製の各種補強部材が設けられている。詳しくは、図５に示すように、前扉枠１３の裏側にあって窓部１０１の左右及び上下の外側にはそれぞれ補強板１３１，１３２，１３３，１３４が取り付けられている。これら補強板１３１〜１３４は相互に接触して連結されているが、図の左側及び上側の補強板１３２，１３３の連結部には直接の接触を避けるための樹脂パーツ１３５が介在されている。これにより、補強板１３１〜１３４による電気経路の閉じたループが切断され、ノイズの原因となる磁界の発生等が防止されている。
【０１０４】
図５の右側となる開閉軸線側の補強板１３１にはその上端部及び下端部に、本体枠１２に対する組付機構として、組付金具１５１，１５２が取り付けられている。そして、本体枠１２側の支持金具８１，８２（図３参照）に対して前扉枠１３側の組付金具１５１，１５２が取り付けられている。すなわち、下側の組付金具１５２には下面に開口する軸穴が形成されており、その軸穴に下側の支持金具８２の突起軸８４が挿入される一方、上側の組付金具１５１の軸部が上側の支持金具８１の支持孔８３に挿入されることにより、本体枠１２に対して前扉枠１３が開閉可能に支持されている。また、同補強板１３１にはその中間位置にフック状をなす係合爪１３１ａが設けられており、この係合爪１３１ａは、前扉枠１３を閉じた状態で本体枠１２の孔部１２ａ（図３参照）に挿入されるように構成されている。これにより、上皿２３を含む形態で前扉枠１３を構成し、その上下の軸支間隔を長くした本パチンコ機１０においても、中間位置における前扉枠１３の浮き上がりが防止できる。それ故、前扉枠１３を浮かしての不正行為等が抑制されるようになっている。
【０１０５】
図５の左側となる開閉軸線とは反対側の補強板１３２には鉤形状をなす上下一対の鉤金具１５５，１５６が取り付けられている。これら鉤金具１５５，１５６は、後方に延び、本体枠１２に設けた挿入孔８７，８８（図３参照）に対応するようにして設けられている。本体枠１２に対して前扉枠１３を閉鎖した際、鉤金具１５５，１５６が本体枠１２側の挿入孔８７，８８に挿入されて施錠装置により施錠状態とされるようになっている。
【０１０６】
下側の補強板１３４には、前記発射レール６１に対向する位置に樹脂ケース１３６が取り付けられている。樹脂ケース１３６には、前記貸球操作部１２０用の回路基板が収容されている。樹脂ケース１３６の背面（図５に見える面）は平坦状をなし、前扉枠１３を閉じた際に発射レール６１の側壁を構成するようになっている。故に、発射レール６１から遊技球が前方にこぼれ落ちることが防止される。
【０１０７】
下側の補強板１３４の一部を切り欠いた部位には、パチンコ機１０後方に向けて球通路樋１３８が設置されており、球通路樋１３８の少なくとも上方には、同じくパチンコ機１０後方に向けて延びる庇（ひさし）部１３９が設けられている。この場合、本体枠１２側に前扉枠１３を閉じた状態では、球通路樋１３８と庇部１３９との間に、本体枠１２側の連通口７２上辺に沿って延びる突条が入り込むようにして配置される。故に、球通路樋１３８より針金やフィルム等を侵入させて不正行為を行おうとしても、遊技領域にまで針金やフィルム等を侵入させることが非常に困難となる。結果として、針金やフィルム等を利用して行われる不正行為を防止することができる。
【０１０８】
前扉枠１３の裏側には、透明板組立体としてのガラスユニット１６０が取り付けられるようになっており、そのガラスユニット１６０の構成を図６〜図１０に基づいて説明する。図６はガラスユニット１６０の全体を示す正面図、図７はガラスユニット１６０に装備される乾燥剤ユニット１８０を拡大して示す正面図、図８は図６のＡ−Ａ線断面図、図９は図６のＢ−Ｂ線断面図、図１０は図６のＣ−Ｃ線断面図である。なお便宜上、図６ではガラス板１６５，１６６の一部を破断して示すが、図９及び図１０ではガラス板１６５，１６６を組み付けた状態を示す。
【０１０９】
図６に示すように、ガラスユニット１６０は、ＡＢＳ樹脂等により一体成形されたガラスフレーム１６１を有している。ガラスフレーム１６１は、全体として略円環状をなすとともに一部が外方に拡張された異形枠状に形成されており、本実施の形態では、前扉枠１３への装着状態で正面からみて下部左側（図５では下部右側）が外方に拡張された形状となっている。このガラスフレーム１６１に、所定間隔を隔てて前後一対のガラス板１６５，１６６が取り付けられている。本実施の形態では、ガラスフレーム１６１が枠体に相当し、ガラス板１６５，１６６が透明板に相当する。ガラス板１６５，１６６はガラスフレーム１６１とほぼ同様の形状を有しており、その外周部がガラスフレーム１６１により密着状態で固定されている。ガラスフレーム１６１内側の二点鎖線は、前扉枠１３に形成された窓部１０１を通じて視認できる視認領域Ｒａを示している。ガラスフレーム１６１の外周には、４カ所にほぼ均等配置された取付部１６２が設けられており、各取付部１６２には透孔１６２ａが形成されている。なお、透孔１６２ａに、図示しない蝶ネジ等の締結具が取り付けられるようになっている。
【０１１０】
ここで、ガラスフレーム１６１において下部左側の拡張部分は、ガラスフレーム１６１の下側の最外縁部から延びる水平線又はそれよりも内側で、且つ左側の最外縁部から延びる鉛直線又はそれよりも内側となるよう規制して設けられている。故に、ガラスフレーム１６１やガラス板１６５，１６６の拡張を図りつつも、前扉枠１３への組み付け時において当該拡張部分が他部材に干渉する等の不都合を回避することができる。また、前扉枠１３の上下左右の寸法に対して、ガラスユニット１６０の上下左右の寸法を目一杯大きくすることが可能となる。
【０１１１】
図８（図６のＡ−Ａ線断面図）に示すように、ガラスフレーム１６１には、内周側に突出した突出部１６３が形成されており、その突出部１６３を挟むようにしてガラス板１６５，１６６が取り付けられている。ガラスフレーム１６１とガラス板１６５，１６６とにより囲まれるようにして密閉空間１６７が形成されている。この場合、ガラスフレーム１６１の突出部１６３とガラス板１６５，１６６とは、例えばホットメルト接着剤からなる接着層１６８，１６９により隙間無く強固に接着されている。
【０１１２】
また、ガラスフレーム１６１の下部左側に拡張した部分において当該フレーム内周側には乾燥剤支持部１７０が形成されている。乾燥剤支持部１７０は、ガラスフレーム１６１の内周側に突出し且つ所定間隔を隔てて設けられる一対の支持基部１７１，１７２と、その支持基部１７１，１７２間を掛け渡すように設けられる仕切部１７３とよりなり、これら支持基部１７１，１７２及び仕切部１７３により区画形成される空間に乾燥剤ユニット１８０が配設されている。支持基部１７１，１７２は概ね略三角形の対称形状をなす。図９（図６のＢ−Ｂ線断面図）に示すように、支持基部１７１は、突出部１６３よりも更に内側に突出して設けられており、支持基部１７１の厚みは、突出部１６３の厚みすなわちガラス板１６５，１６６間の間隔よりも小さくなっている。それ故、支持基部１７１の両側部（図では上下両側）にはガラス板１６５，１６６との間に所定の隙間が形成されるようになっている。他方の支持基部１７２についても同様である。
【０１１３】
乾燥剤ユニット１８０の構成を図７及び図１０に基づいて説明する。乾燥剤ユニット１８０は、２片１組のケース部材１８１ａ，１８１ｂを対向させた状態で組み合わされてなるケーシング１８１を有し、このケーシング１８１内に粒状の乾燥剤１８２が多数収容されている。ケーシング１８１は、内部の乾燥剤１８２が視認可能となるように透明状の樹脂を用いて形成されている。本実施の形態では特に、２片のケース部材１８１ａ，１８１ｂが連結部１８１ｃにて連結されており、その連結部１８１ｃにて連結された状態でケーシング１８１の内部空間が開放又は閉鎖される構成となっている。図１０に示す閉鎖状態では、ケーシング１８１の左側で係止部１８１ｄにより両ケース部材１８１ａ，１８１ｂがかみ合っており、ケーシング１８１が開放されないようになっている。この場合、ケーシング１８１の開放方向は図１０の上下方向であるが、その方向への開放はガラス板１６５，１６６により規制されるため、ケーシング１８１が不用意に開放されて内部の乾燥剤１８２がこぼれ出てしまう等の不都合が生じないようになっている。
【０１１４】
ケーシング１８１（ケース部材１８１ａ，１８１ｂ）の外周側はガラスフレーム１６１の内周面に合わせて円弧状をなし、内周側は前記仕切部１７３に合わせて直線状をなしている。また特に、ケーシング１８１は隔壁１８３により３つの乾燥剤収容室１８４に区画されており、各乾燥剤収容室１８４に乾燥剤１８２が多数収容されている。また、隔壁１８３は、乾燥剤ユニット１８０をガラスユニット１６０に配設した際に、パチンコ機１０の上下方向に対して斜めとなるように設けられている。これは、乾燥剤１８２同士や乾燥剤１８２とケーシング１８１との接触面が増加することを抑え、乾燥剤１８２における水分の吸着に関わる有効表面積が減少することを防ぐための工夫である。こうしてケーシング１８１内が複数（本実施の形態では３つ）の乾燥剤収容室１８４に区画されることにより、乾燥剤１８２が一部に偏り過ぎることがなくなり、吸湿効果の低下が抑止できる。乾燥剤１８２としてはゼオライトを用いるが、その他、シリカゲル等を用いることも可能である。或いは、塩化コバルトを吸着させた青いシリカゲルを用いてもよい。このシリカゲルは、吸湿すると青色から次第にピンク色に変色するため、吸湿能力の確認が容易である。本実施の形態では、乾燥剤ユニット１８０が吸湿ユニットに、ケーシング１８１が収納部材に、乾燥剤１８２が吸湿体に、それぞれ相当する。
【０１１５】
ケーシング１８１は、その両側面がガラス板１６５，１６６に対面する扁平形状をなしており、その両側面にはケーシング１８１内外を連通する通気孔１８５が複数箇所に形成されている。ガラス板１６５，１６６と対面する両側面に通気孔１８５を形成することにより、通気孔１８５が乾燥剤１８２や粉塵等により目詰まりするといった不測の不具合が生じていないかを容易に確認することができる。また、ケーシング１８１の側面がガラス板１６５，１６６に当接すると通気孔１８５が塞がれてしまうため、これを防ぐためにケーシング１８１の外面には突起１８６が複数箇所に形成されている。なお、通気孔１８５は、図示の如くケーシング両側面に各々横一列に設ける他、ケーシング１８１の片面にのみ設けたり、複数列に設けたり、孔数を増やしたりすることも可能である。通気孔１８５は、ケーシング内部の乾燥剤１８２がこぼれでないものであればよく、形状や大きさも制限されない。突起１８６は、１又は複数の突条であってもよい。
【０１１６】
上記構成のガラスユニット１６０では、２枚のガラス板１６５，１６６の間の密閉空間１６７が、支持基部１７１，１７２や仕切部１７３とガラス板１６５，１６６との間の隙間を介して乾燥剤支持部１７０内の空間に連通され、更に乾燥剤支持部１７０内の空間が、ケーシング１８１の通気孔１８５を介してケーシング１８１内の空間に連通されている。従って、密閉空間１６７内の水分を、乾燥剤ユニット１８０内の乾燥剤１８２により吸着することができる。これにより、低温状態下におけるガラスユニット１６０の結露等を防止することができる。
【０１１７】
また、ガラスユニット１６０の製作過程において、乾燥剤１８２を密閉する専用工程が不要となり、結露防止対策が施されたガラスユニット１６０における組立作業効率を高めることが可能となる。
【０１１８】
なお、ガラスフレーム１６１に２枚のガラス板１６５，１６６を取り付ける際、両ガラス板１６５，１６６間の空気が圧縮される。故に、その圧縮空気を逃がすための逃がし孔がガラスフレーム１６１に設けられている（但し図示は略す）。そして、接着剤によりガラスフレーム１６１にガラス板１６５，１６６が固着された後、前記逃がし孔が閉鎖されて密閉空間１６７が気密状態とされるようになっている。
【０１１９】
乾燥剤支持部１７０は、二点鎖線で示す視認領域Ｒａよりも外側に設けられ、更にその外側に乾燥剤ユニット１８０が配されるため、前扉枠１３の窓部１０１を介して乾燥剤ユニット１８０が視認されることがないようになっている。また、乾燥剤ユニット１８０は支持基部１７１，１７２や仕切部１７３により位置決めされているため、窓部１０１の内側への移動が規制されるようになっている。これに対し、前扉枠１３を開放すると、前扉枠１３の背面側からはガラスユニット１６０内の乾燥剤ユニット１８０が視認でき、更に乾燥剤ユニット１８０内の乾燥剤１８２も視認できる。従って、乾燥剤１８２の変色やウエットの状態等を容易に確認することができる。
【０１２０】
上述したようにガラスユニット１６０の下部左側を拡張して乾燥剤ユニット１８０を配置したため、以下の点で有利となる。すなわち、上部左右位置にはランプ等の装飾系部材やスピーカ等の演出系部材を配置でき、下部右側位置は証紙貼付領域を確保できる。下部左側は遊技領域への球案内通路が形成される場所に対応するために比較的他の部材等を設置し難いため、そこを利用して乾燥剤配置領域とすることができる。
【０１２１】
ガラスユニット１６０の前扉枠１３への取り付けは、前記取付部１６２の透孔１６２ａに取り付けられた蝶ネジ等の締結具を、前扉枠１３の背面側において窓部１０１の周りに設けられた被締結部（例えばネジ穴）に締結させることで行われる。ガラスユニット１６０にフックやヒンジ等を設けて、これらを支持部材としてガラスユニット１６０を前扉枠１３に取り付けることも可能である。
【０１２２】
前述した通り本実施の形態のパチンコ機１０では遊技領域の拡張を図っていることから、前扉枠１３を閉じた状態にあっては、内外のレール部５１，５２間に形成された球案内通路の一部が前扉枠１３により覆い隠される構成となっている。それ故、球案内通路では手前側の開放部がガラスユニット１６０で覆えない部分ができてしまう。かかる場合、例えば、遊技球発射装置より発射された遊技球が戻り球防止部材５４まで至らず戻ってくると、遊技球が球案内通路外に飛び出したり、外レール部５２とガラスユニット１６０との間にできる隙間に挟まってしまうおそれがある。そこで本実施の形態では、前扉枠１３に、球案内通路の手前側開放部を被覆するためのレールカバー１４０を取り付けている。レールカバー１４０は略円弧状をなす板体であって、透明な樹脂により形成されている。レールカバー１４０は、その円弧形状が前記球案内通路の形状に対応しており、窓部１０１の周縁部に沿って、球案内通路の基端部から先端部近傍までの区間を覆うようになっている。特にレールカバー１４０の内径側の寸法・形状は内レール部５１のそれにほぼ一致する。また、レールカバー１４０の右端部（すなわち、レールカバー１４０を前扉枠１３に取着した図５の状態で右端となる部位）には、球案内通路がガラスユニット１６０の側縁部からはみ出した部分を被覆するための被覆部１４１が設けられている。以上のレールカバー１４０の構成により、前扉枠１３が閉じられた状態においては、レールカバー１４０の裏面が球案内通路のほぼ全域を覆うこととなって、遊技球が球案内通路外に飛び出したり、外レール部５２とガラスユニット１６０との間にできる隙間に挟まってしまうといった不具合の発生を防止することができる。
【０１２３】
また、レールカバー１４０の下部裏側には、その内側縁に沿って円弧状に延び且つ後方へ向けて突出する突条１４２が形成されている。突条１４２は、前扉枠１３が閉じられた状態において、球案内通路内に入り込んだ状態で内レール部５１に重なり合うように配置される。従って、例えば前扉枠１３と本体枠１２との隙間から針金やフィルム等を侵入させて不正行為を行おうとしても、球案内通路の内側にある遊技領域にまで針金やフィルム等を侵入させることが非常に困難となる。その結果、針金やフィルム等を利用して行われる不正行為を防止することができる。なお、突条１４２をより広い範囲で、例えばレールカバー１４０の内側縁の全域に沿って形成する構成としても良く、かかる構成によれば、より広い範囲で針金やフィルム等を侵入させにくくなり、針金やフィルム等を利用して行われる不正行為をより確実に防止することができる。
【０１２４】
なお、レールカバー１４０を無くし、遊技領域及び球案内通路のほぼ全域をガラスユニット１６０のガラス面にて対面させるように構成してもよい。
【０１２５】
次に、パチンコ機１０の背面の構成を説明する。なお、図１１はパチンコ機１０の背面図、図１２はパチンコ機１０の背面構成を主要部品毎に分解して示す分解斜視図である。
【０１２６】
まず、パチンコ機１０の背面構成について全体の概要を説明する。パチンコ機１０の背面側には、各種制御装置（各種制御基板）が上下左右に並べられるようにして又は前後に重ねられるようにして配置されるとともに、遊技球を供給するための遊技球供給装置（払出機構）や樹脂製の保護カバー等が取り付けられている。本実施の形態では、各種制御装置を２つの取付台に分けて搭載して２つの制御基板ユニットを構成し、それら制御基板ユニットを個別に本体枠１２又は遊技盤３０の裏面に装着するようにしている。この場合、主制御装置２７１（主基板）と音声ランプ制御装置２７２（音声ランプ制御基板）とを一方の取付台に搭載してユニット化すると共に、払出制御装置３１１（払出制御基板）、発射制御装置３１２（発射制御基板）及び電源装置３１３（電源基板）を他方の取付台に搭載してユニット化している。以下においては、便宜上、前者のユニットを「第１制御基板ユニット２０１」と称し、後者のユニットを「第２制御基板ユニット２０２」と称することとする。また、払出機構及び保護カバーも１ユニットとして一体化され、一般に樹脂部分を裏パックと称することもあるため、ここではそのユニットを「裏パックユニット２０３」と称する。各ユニット２０１〜２０３の詳細な構成については後述する。
【０１２７】
第１制御基板ユニット２０１、第２制御基板ユニット２０２及び裏パックユニット２０３は、ユニット単位で何ら工具等を用いずに着脱できるよう構成されるとともに、一部に支軸部を設けて本体枠１２又は遊技盤３０の裏面に対して展開できる構成となっている。これは、各ユニット２０１〜２０３やその他構成が前後に重ねて配置された場合に隠れた部位を容易に確認することを可能とするための工夫でもある。実際には、図１３の概略図に示すように、略Ｌ字状をなす第１制御基板ユニット２０１はパチンコ機１０のほぼ中央に配置され、その下方に第２制御基板ユニット２０２が配置されている。また、第１制御基板ユニット２０１に一部重複する領域に、裏パックユニット２０３が配置されている。
【０１２８】
第１制御基板ユニット２０１にはパチンコ機１０の背面から見て左端部に支軸部Ｍ１が設けられ、その支軸部Ｍ１による軸線Ａを中心に第１制御基板ユニット２０１が回動可能となっている。また、第１制御基板ユニット２０１には、その右端部すなわち支軸部Ｍ１の反対側となる開放端側に、ナイラッチ（登録商標）等よりなる締結部Ｍ２が設けられると共に上端部に係止爪部Ｍ３が設けられており、これら締結部Ｍ２及び係止爪部Ｍ３によって第１制御基板ユニット２０１がパチンコ機１０本体の裏面に沿った状態に保持されるようになっている。また、第２制御基板ユニット２０２にはパチンコ機１０の背面から見て右端部に支軸部Ｍ４が設けられ、その支軸部Ｍ４による軸線Ｂを中心に第２制御基板ユニット２０２が回動可能となっている。また、第２制御基板ユニット２０２には、その左端部すなわち支軸部Ｍ４の反対側となる開放端側に、ナイラッチ等よりなる締結部Ｍ５が設けられており、この締結部Ｍ５によって第２制御基板ユニット２０２がパチンコ機１０本体の裏面に沿った状態に保持されるようになっている。さらに、裏パックユニット２０３にはパチンコ機１０の背面から見て右端部に支軸部Ｍ６が設けられ、その支軸部Ｍ６による軸線Ｃを中心に裏パックユニット２０３が回動可能となっている。また、裏パックユニット２０３には、その左端部すなわち支軸部Ｍ６の反対側となる開放端側にナイラッチ等よりなる締結部Ｍ７が設けられるとともに、上端部及び下端部にそれぞれ回動式の係止部Ｍ８，Ｍ９が設けられており、これら締結部Ｍ７及び係止部Ｍ８，Ｍ９によって裏パックユニット２０３がパチンコ機１０本体の裏面に沿った状態に保持されるようになっている。
【０１２９】
各ユニット２０１〜２０３を回動可能に支持する支軸部Ｍ１，Ｍ４，Ｍ６は、各ユニット２０１〜２０３をパチンコ機１０の裏面から開いた状態で容易に取り外し可能なヒンジ構造となっている。簡単に説明すると、第１制御基板ユニット２０１については、締結部Ｍ２の締結及び係止爪部Ｍ３の係止を解除すると共に、当該ユニット２０１を軸線Ａを中心に回動させて展開し、その状態で持ち上げる。これにより、裏パックユニット２０３がない前提であれば、第１制御基板ユニット２０１を取り外すことができる。また、第２制御基板ユニット２０２については、締結部Ｍ５の締結を解除すると共に、当該ユニット２０２を軸線Ｂを中心に回動させて展開し、その状態で持ち上げる。これにより、第２制御基板ユニット２０２を取り外すことができる。さらに、裏パックユニット２０３については、締結部Ｍ７の締結及び係止部Ｍ８，Ｍ９の係止を解除すると共に、当該ユニット２０３を軸線Ｃを中心に回動させて展開し、その状態で持ち上げる。これにより、裏パックユニット２０３を取り外すことができる。
【０１３０】
ここで、各ユニット２０１〜２０３の展開方向は同一でなく、第１制御基板ユニット２０１は、パチンコ機１０の背面から見て左開きになるのに対し、第２制御基板ユニット２０２及び裏パックユニット２０３は、同右開きになるよう構成されている。この場合、第１制御基板ユニット２０１は、裏パックユニット２０３に一部重複して設けられるため、裏パックユニット２０３を開かないことには第１制御基板ユニット２０１を取り外すことが不可能であり、さらに言うと、第１制御基板ユニット２０１及び裏パックユニット２０３が各々逆方向に展開する構成であるため、裏パックユニット２０３を所定角度以上に大きく開いた状態又は同ユニット２０３を取り外した状態でなければ第１制御基板ユニット２０１を取り外すことが不可能である。従って、第１制御基板ユニット２０１を取り外すことに着目すると、他のユニット２０２，２０３に比べて取り外しが困難な構成となっている。さらに、施錠装置をキー操作して外枠１１に対して本体枠１２を開放しなければ、裏パックユニット２０３を開くことができない構成となっているため、より一層第１制御基板ユニット２０１の取り外しが困難なものとなっている。より具体的な構成については後述する。
【０１３１】
次に、本体枠１２及び遊技盤３０の裏面構成を説明する。なお、図１４は本体枠１２に遊技盤３０を組み付けた状態でかつ前記各ユニット２０１〜２０３等を取り外した状態の構成を示す背面図、図１５は本体枠１２を後方より見た斜視図、図１６は遊技盤３０を後方より見た斜視図である。
【０１３２】
遊技盤３０は、樹脂ベース２５に囲まれた四角枠状の設置領域に裏面側より設置され、本体枠１２に設けられた複数（本実施の形態では４カ所）の係止固定具２１１，２１２によって後方へ脱落しないように固定されている。係止固定具２１１，２１２は手動で回動操作することができ、固定位置（ロック位置）と固定解除位置（アンロック位置）とに切り換えることができるよう構成されている。図１４にはロック状態を示す。左右３カ所の係止固定具２１１は金属片を折り曲げ形成したＬ型の金具であり、遊技盤３０の固定状態で本体枠１２の外方へ張り出さないよう構成されている。なお、下部１カ所の係止固定具２１２は合成樹脂製のＩ型の留め具である。
【０１３３】
遊技盤３０の中央に配置される可変表示ユニット３５には、センターフレーム４３（図４参照）を背後から覆う合成樹脂製のフレームカバー２１３が後方に突出して設けられており、そのフレームカバー２１３の後端に、第１図柄表示装置４１と表示制御手段としての表示制御装置２１４とが前後に重ねられた状態で着脱可能に取り付けられている。フレームカバー２１３内には、センターフレーム４３に内蔵されたＬＥＤ等を駆動するためのＬＥＤ制御基板などが配設されている。
【０１３４】
遊技盤３０の裏面には、可変表示ユニット３５を取り囲むようにして集合板ユニット２１５が設けられている。集合板ユニット２１５は、薄板状の枠体として例えばＡＢＳ樹脂等の合成樹脂により成形されるベースを有し、そのベース面が遊技盤３０の裏面に当接されるようにして取り付けられている。集合板ユニット２１５には、各種入賞口に入賞した遊技球を回収するための遊技球回収機構や、各種入賞口等への遊技球の入賞を検知するための入賞検知機構などが設けられている。
【０１３５】
遊技球回収機構について説明すると、集合板ユニット２１５の下方には、前記一般入賞口３１、可変入賞装置３２、作動口３３の遊技盤開口部に対応し且つ下流側で１カ所に集合する回収通路２１６が形成されている。また、遊技盤３０の下方には、本体枠１２にポリカーボネート樹脂等の合成樹脂製の排出通路盤２１７が取り付けられており、排出通路盤２１７には排出球をパチンコ機１０外部の例えば遊技ホールの島設備等へ案内するための排出通路２１８が形成されている。従って、図１４に仮想線で例示するように、一般入賞口３１等に入賞した遊技球は何れも集合板ユニット２１５の回収通路２１６を介して集合し、さらに排出通路盤２１７の排出通路２１８を介してパチンコ機１０外部に排出される。なお、アウト口３６も同様に排出通路２１８に通じており、何れの入賞口にも入賞しなかった遊技球も排出通路２１８を介してパチンコ機１０外部に排出される。上記構成では、遊技盤３０の下端面を境界にして、上方に集合板ユニット２１５（回収通路２１６）が、下方に排出通路盤２１７（排出通路２１８）が設けられており、排出通路盤２１７が遊技盤３０に対して前後方向に重複していない。従って、遊技盤３０を本体枠１２から取り外す際において、排出通路盤１７が遊技盤取り外しの妨げになるといった不都合が生じることもない。
【０１３６】
なお、排出通路盤２１７は、パチンコ機１０前面の上皿２３の裏側に配置されており、上皿２３に至る球排出口（図２の球通路樋１３８）より針金やフィルム等を差し込み、さらにその針金やフィルム等を本体枠１２と排出通路盤２１７との隙間を通じて遊技領域側に侵入させるといった不正行為が考えられる。そこで、本パチンコ機１０では、図１５に示すように、排出通路盤２１７には、球通路樋１３８の上部位置に対応する高さ位置に、本体枠１２に重なり合うようにしてパチンコ機１０前方に延びるプレート２１９を設けた。従って、本体枠１２と排出通路盤２１７との隙間から針金やフィルム等を侵入させようとしてもそれがプレート２１９にて阻害され、遊技領域にまで針金やフィルム等を侵入させることが非常に困難となる。その結果、針金やフィルム等を利用して可変入賞装置３２を強制的に開放する等の不正行為を防止することができる。
【０１３７】
入賞検知機構について説明すると、集合板ユニット２１５には、遊技盤３０表側の一般入賞口３１と対応する位置に入賞口スイッチ２２１が設けられ、可変入賞装置３２と対応する位置に特定領域スイッチ２２２及びカウントスイッチ２２３が設けられている。特定領域スイッチ２２２は、大当たり中に可変入賞装置３２へ入賞した遊技球が特定領域に入ったことを判定するスイッチである。特定領域とはラウンドの更新可否を判定するための領域であり、Ｖゾーンとも称されている。カウントスイッチ２２３は、可変入賞装置３２に入賞した遊技球の数をカウントするスイッチである。また、作動口３３に対応する位置には作動口３３への遊技球の入賞を検知する作動口スイッチ２２４が設けられ、スルーゲート３４に対応する位置にはスルーゲート３４の遊技球の通過を検知するゲートスイッチ２２５が設けられている。入賞口スイッチ２２１及びゲートスイッチ２２５は電気配線を通じて盤面中継基板２２６に接続され、特定領域スイッチ２２２及びカウントスイッチ２２３は大入賞口中継基板２２７に接続されている。そして、盤面中継基板２２６及び大入賞口中継基板２２７が主制御装置２７１に接続されている。作動口スイッチ２２４は中継基板を介さずに直接主制御装置２７１に接続されている。その他図示は省略するが、可変入賞装置３２には、大入賞口の開閉扉を開放するための大入賞口ソレノイドと、入賞球を特定領域かその他の領域に振り分けるための振分板を駆動する入賞球振分板ソレノイドとが設けられ、作動口３３には、それに付随する電動役物を開放するための作動口ソレノイドが設けられている。
【０１３８】
上記入賞検知機構にて各々検出された検出結果は主制御装置２７１に取り込まれ、該主制御装置２７１よりその都度の入賞状況に応じた払出指令（遊技球の払出個数）が払出制御装置３１１に送信される。そして、払出制御装置３１１の出力により所定数の遊技球の払出が実行されるようになっている。ここで、従来のいわゆる証拠球方式では、各種入賞口に入賞した遊技球を入賞球処理装置に一旦集め、その入賞球処理装置で入賞球の存在を１つずつ順番に確認した上で払出を行うようにしていたが、本実施の形態のパチンコ機１０では、各種入賞口毎に遊技球の入賞を電気的に検知して払出が直ちに行われるようにしているため、払い出す遊技球が多量にあってもその払出をいち早く実施することが可能となるとともに、入賞球処理装置が不要となる。
【０１３９】
集合板ユニット２１５には、その右上部に盤用外部端子板２３０が設けられている。盤用外部端子板２３０には、第１図柄の変動が停止（確定）する毎に信号出力するための出力端子と、大当たり中又は第１図柄の変動時間短縮中に信号出力するための出力端子と、大当たり中に信号出力するための出力端子とが設けられている。そして、これらの出力端子を通じて、遊技ホール側の管理制御装置に対して遊技（遊技盤３０側の状態）に関する信号が出力される。盤用外部端子板２３０は、取り外し容易な状態で集合板ユニット２１５に取り付けられている。なお、図１４に示すように、本体枠１２裏側の左下部には、打球槌等を備えるセットハンドル２２８及び発射モータ２２９が設けられている。
【０１４０】
集合板ユニット２１５には、第１制御基板ユニット２０１を取り付けるための取付機構が設けられている。具体的には、この取付機構として、遊技盤３０の裏面から見て左下隅部には上下方向に延びる軸受け金具２３１が設けられ、この軸受け金具２３１には同一軸線上に上下一対の軸受け孔２３１ａが形成されている。また、遊技盤３０において、軸受け金具２３１の右方には上下一対の被締結孔（具体的にはナイラッチの取付孔）２３２が設けられ、軸受け金具２３１の上方には係止爪片２３３が設けられている。
【０１４１】
本体枠１２の裏面には、第２制御基板ユニット２０２や裏パックユニット２０３を取り付けるための取付機構が設けられている。具体的には、本体枠１２にはその右端部に長尺状の軸受け金具２３５が取り付けられている。この軸受け金具２３５は補強部材としても機能する。図１７に示すように、軸受け金具２３５は遊技盤３０よりも下方へ延びる長尺板状の金具本体２３６を有し、その金具本体２３６より後方へ起立させるようにして、下部２カ所に第２制御基板ユニット２０２用の軸受け部２３７が形成されると共に、上部２カ所に裏パックユニット２０３用の軸受け部２３８が形成されている。これら軸受け部２３７，２３８にはそれぞれ同軸の軸受け孔が形成されている。なお、第２制御基板ユニット２０２用の軸受け部２３７と裏パックユニット２０３用の軸受け部２３８とを各々個別の軸受け金具で構成することも可能である。その他、第２制御基板ユニット２０２用の取付機構として、本体枠１２には、遊技盤３０設置領域よりも下方左端部に上下一対の被締結孔（具体的には、ナイラッチの取付孔）２３９が設けられている。また、裏パックユニット２０３用の取付機構として、本体枠１２には、遊技盤３０設置領域の左端部に上下一対の被締結孔（具体的には、ナイラッチの取付孔）２４０が設けられている。本体枠１２において遊技盤３０の左上方、右寄り上方及び右寄り下方の各位置には、遊技盤３０との間に裏パックユニット２０３を挟み込んで支持するための回動式の固定具２４１，２４２，２４３がそれぞれ設けられている。なお、裏パックユニット２０３は、その上部に大量の遊技球を貯留することから、裏パックユニット２０３の上部を支持するための固定具２４１，２４２に関しては特に十分な強度を持つ構成とするのが望ましく、本実施の形態では回動式の固定具を用いている。
【０１４２】
上記の如く本体枠１２の左右一側部（図１４では右側部）には長尺状の軸受け金具２３５が設けられる一方、本体枠１２の左右他側部（図１４では左側部）には施錠装置が設けられている。施錠装置は、上下方向に延び本体枠１２に固定された基枠２４７と、その基枠２４７に対して上下方向に移動可能に組み付けられた長尺状の連動杆２４８とを備え、基枠２４７の下部に前記シリンダ錠９１が一体化されている。連動杆２４８は、シリンダ錠９１の操作により上下いずれかの方向に移動する。連動杆２４８には、鉤形状をなす上下一対の鉤金具２４９が設けられており、外枠１１に対して本体枠１２を閉鎖した際には、鉤金具２４９が外枠１１側の支持金具（図示略）に係止され、施錠装置により施錠状態とされるようになっている。この場合、シリンダ錠９１の操作によって連動杆２４８が上方向に移動すると、外枠１１に対する本体枠１２の施錠が解除される。逆に、シリンダ錠９１の操作によって連動杆２４８が下方向に移動すると、本体枠１２に対する前扉枠１３の施錠が解除される。
【０１４３】
なお、本体枠１２の左右側部に軸受け金具２３５と施錠装置（基枠２４７、連動杆２４８等）とが振り分けられる上記構成において、これら軸受け金具２３５及び施錠装置（基枠２４７、連動杆２４８等）を配置するための領域を残した幅となるようにして、本体枠１２に前記遊技盤３０が取り付けられている。これによっても遊技領域の拡張が図られていることは前述した通りである。
【０１４４】
本体枠１２の背面における遊技盤３０の右下部には、後述する払出機構より払い出される遊技球を上皿２３、下皿１６又は排出通路２１８の何れかに振り分けるための遊技球分配部２４５が設けられている。遊技球分配部２４５は、左側の開口部２４５ａが第１排出口６６を介して上皿２３に通じ、中央の開口部２４５ｂが第２排出口６７を介して下皿１６に通じ、右側の開口部２４５ｃが排出通路２１８に通じるように、各通路が形成されている。遊技球分配部２４５は、本体枠１２に対してネジ等により強固に取り付けられている。従って、遊技球分配部２４５の設置部位における浮き上がりが防止され、隙間から針金やフィルム等を侵入させることによる不正行為が防止できるようになっている。なお、本体枠１２の下端部には、奥壁パネル１７の裏側に設置されたスピーカ２０の背後を囲むための合成樹脂製のスピーカボックス２４６が取り付けられており、スピーカボックス２４６がスピーカ音を後方へ逃さないように機能することで低音域の音質改善が図られている。
【０１４５】
次に、第１制御基板ユニット２０１の構成を図１８〜図２１に基づいて説明する。図１８は第１制御基板ユニット２０１の正面図、図１９は同ユニット２０１の斜視図、図２０は同ユニット２０１の分解斜視図、図２１は同ユニット２０１を裏面から見た分解斜視図である。
【０１４６】
第１制御基板ユニット２０１は略Ｌ字状をなす取付台２５１を有し、取付台２５１に主制御装置２７１と音声ランプ制御装置２７２とが搭載されている。主制御装置２７１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主基板を具備しており、主基板が透明樹脂材料等よりなる被包手段としての基板ボックス２７３に収容されて構成されている。なお、基板ボックス２７３は、略直方体形状のボックスベースと該ボックスベースの開口部を覆うボックスカバーとを備えている。これらボックスベースとボックスカバーとは封印手段としての封印ユニット２７４によって開封不能に連結され、これにより基板ボックス２７３が封印されている。
【０１４７】
封印ユニット２７４はボックスベースとボックスカバーとを開封不能に連結する構成であれば任意の構成が適用できるが、ここでは図１９等に示すように、５つの封印部材が連結された構成となっており、この封印部材の長孔に係止爪を挿入することでボックスベースとボックスカバーとが開封不能に連結されるようになっている。封印ユニット２７４による封印処理は、その封印後の不正な開封を防止し、また万一不正開封が行われてもそのような事態を早期に且つ容易に発見可能とするものであって、一旦開封した後でも再度封印処理を行うこと自体は可能である。すなわち、封印ユニット２７４を構成する５つの封印部材のうち、少なくとも一つの封印部材の長孔に係止爪を挿入することにより封印処理が行われる。そして、収容した主基板の不具合発生の際や主基板の検査の際など基板ボックス２７３を開封する場合には、係止爪が挿入された封印部材と他の封印部材との連結を切断する。その後、再度封印処理する場合は他の封印部材の長孔に係止爪を挿入する。基板ボックス２７３の開封を行った旨の履歴を当該基板ボックス２７３に残しておけば、基板ボックス２７３を見ることで不正な開封が行われた旨が容易に発見できる。
【０１４８】
音声ランプ制御装置２７２は、例えば主制御装置２７１又は表示制御装置２１４からの指示に従い音声やランプ表示の制御を司るＣＰＵや、その他ＲＯＭ、ＲＡＭ、各種ポート等を含む音声ランプ制御基板を具備しており、音声ランプ制御基板が透明樹脂材料等よりなる基板ボックス２７５に収容されて構成されている。音声ランプ制御装置２７２上には電源中継基板２７６が搭載されており、電源装置３１３の電源が電源中継基板２７６を介して表示制御装置２１４及び音声ランプ制御装置２７２に供給されるようになっている。
【０１４９】
取付台２５１は、ポリカーボネート樹脂等の合成樹脂製であり、例えば緑や青等に着色されて不透明とされている。但し、取付台２５１は無色透明又は半透明であってもよい。取付台２５１の表面には平坦状をなす２つの基板搭載面２５２，２５３が設けられている。これら基板搭載面２５２，２５３は縦横に直交する向きに延び、前後方向に段差をもって形成されている。基板搭載面２５２の上縁部及び下縁部にはそれぞれ、基板搭載面２５２より起立した起立部２５４が一体成形されている。そして、横長の基板搭載面２５２上に主制御装置２７１が配置されると共に、縦長の基板搭載面２５３上に音声ランプ制御装置２７２が配置される。このとき、主制御装置２７１は、上下の側部が起立部２５４にて支えられる。また、音声ランプ制御装置１７２は、複数箇所でネジ等により基板搭載面２５３に固定される。
【０１５０】
ここで、図２０及び図２１に示すように、基板搭載面２５２には、左右２カ所に横長形状の貫通孔２５６が形成されている。一方、主制御装置２７１の基板ボックス２７３には、その裏面の左右２カ所に回動操作式の固定具２７７が設けられている。主制御装置２７１を基板搭載面２５２に搭載する際には、基板搭載面２５２の貫通孔２５６に固定具２７７が挿通されるように主制御装置２７１を載置し、その状態で固定具２７７を回動操作することで主制御装置２７１がロックされる。従って、主制御装置２７１は第１制御基板ユニット２０１の裏面側から固定具２７７をロック解除しなければ取り外しできないため、基板取り外し等の不正行為に対して抑止効果が得られる。
【０１５１】
また、取付台２５１において、主基板用の基板搭載面２５２の下方には、基板搭載面２５２の裏面空間に通じる開口を遮蔽するための遮蔽部２５７が設けられている。従って、基板搭載面２５２の下方より取付台２５１の裏面に手などを差し入れることが阻止され、固定具２７７のロック状態を不正に解除することができないようになっている。また、第１制御基板ユニット２０１をパチンコ機１０裏面に搭載した状態では、当該ユニット２０１の上部が裏パックユニット２０３により覆われるため、やはり取付台２５１の裏面に手などを差し入れることが阻止され、固定具２７７のロック状態を不正に解除することができないようになっている。
【０１５２】
前述した通り、第１制御基板ユニット２０１は、裏パックユニット２０３を所定角度以上に大きく開いた状態又は同ユニット２０３を取り外した状態でなければ取り外すことが不可能であり、また、施錠装置を正しくキー操作して外枠１１に対して本体枠１２を開放しなければ、裏パックユニット２０３を開くことができない構成となっている。つまり、本体枠１２を開くことができなければ、結果的に第１制御基板ユニット２０１を回動させたり取り外すことができず、ひいては主制御装置２７１の取り外しも不可能となる。それ故、主制御装置２７１の不正な載せ替えや盗難等を効果的に防止することができる。
【０１５３】
主制御装置２７１は、パチンコ機１０裏面から見て手前側に配置され、音声ランプ制御装置２７２はその奥側に配置される。この場合、基板搭載面２５２，２５３が前後方向に段差をもって形成されているため、これら基板搭載面２５２，２５３に主制御装置２７１及び音声ランプ制御装置２７２を搭載した状態において各制御装置２７１，２７２はその一部を前後に重ねて配置される。つまり、図１９等にも見られるように、主制御装置２７１はその一部（本実施の形態では１／３程度）が浮いた状態で配置される。故に、主制御装置２７１に重なる領域まで音声ランプ制御装置２７２を拡張することが可能となり、また別の見方をすれば音声ランプ制御装置２７２に重なる領域まで主制御装置２７１を拡張することが可能となり、パチンコ機１０という限られた大きさの中にあっても、各制御基板２７１，２７２の大型化に良好に対処できるとともに、各制御装置２７１，２７２を効率良く設置できる。また、第１制御基板ユニット２０１を遊技盤３０に装着した状態では、基板搭載面２５２の後方にスペースが確保され、可変入賞装置３２やその電気配線等が無理なく設置できるようになっている。なお、基板搭載面２５２の裏面には格子状のリブ２５８が設けられており、主制御装置２７１の支持強度が高められている。
【０１５４】
取付台２５１の左端面には上下一対の掛止ピン２６１が設けられており、この掛止ピン２６１を前記軸受け金具２３１に取り付けることで、第１制御基板ユニット２０１が遊技盤３０に対して回動可能に片持ち支持される。取付台２５１の右端部には前記被締結孔２３２にはめ込まれる締結具として上下一対のナイラッチ２６２が設けられている。取付台２５１の上端部には前記係止爪片２３３が係止される長孔２６３が設けられている。従って、ナイラッチ２６２を被締結孔２３２にはめ込むと共に、長孔２６３に係止爪片２３３を係止させることで、第１制御基板ユニット２０１が遊技盤３０に固定される。なお、軸受け金具２３１及び掛止ピン２６１が前記支軸部Ｍ１に、被締結孔２３２及びナイラッチ２６２が前記締結部Ｍ２に、係止爪片２３３及び長孔２６３が前記係止爪部Ｍ３に、それぞれ相当する。
【０１５５】
次に、第２制御基板ユニット２０２の構成を図２２〜図２４に基づいて説明する。図２２は第２制御基板ユニット２０２の正面図、図２３は同ユニット２０２の斜視図、図２４は同ユニット２０２の分解斜視図である。
【０１５６】
第２制御基板ユニット２０２は横長形状をなす取付台３０１を有し、取付台３０１に払出制御装置３１１、発射制御装置３１２、電源装置３１３及びカードユニット接続基板３１４が搭載されている。払出制御装置３１１及び発射制御装置３１２は制御の中枢をなすＣＰＵや、その他ＲＯＭ、ＲＡＭ、各種ポート等を含む制御基板を具備している。払出制御装置３１１の払出制御基板により、賞品球や貸出球の払出が制御される。発射制御装置３１２の発射制御基板により、遊技者による遊技球発射ハンドル１８の操作に従い発射モータ２２９の制御が行われる。また、電源装置３１３の電源基板により、各種制御装置等で要する所定の電源電圧が生成され出力される。カードユニット接続基板３１４は、パチンコ機前面の貸球操作部１２０及び図示しないカードユニットに電気的に接続され、主として遊技者による球貸し操作の指令を取り込んでそれを払出制御装置３１１に出力するものである。なお、カードユニットを介さずに球貸し装置等から上皿に遊技球が直接貸し出される現金機では、カードユニット接続基板３１４は不要である。
【０１５７】
上記払出制御装置３１１、発射制御装置３１２、電源装置３１３及びカードユニット接続基板３１４は、透明樹脂材料等よりなる基板ボックス３１５，３１６，３１７，３１８にそれぞれ収容されて構成されている。特に、払出制御装置３１１では、主制御装置２７１と同様、被包手段を構成する基板ボックス３１５がボックスベースとボックスカバーとを備え、それらが封印手段としての封印ユニット３１９によって開封不能に連結され、これにより基板ボックス３１５が封印されている。払出制御装置３１１には状態復帰スイッチ３２１が設けられている。例えば、後述する払出モータの球詰まり等、払出エラーの発生時において状態復帰スイッチ３２１が押されると、払出モータが正逆回転され、球詰まりの解消（正常状態への復帰）が図られるようになっている。電源装置３１３にはＲＡＭ消去スイッチ３２３が設けられている。本パチンコ機１０は各種データのバックアップ機能を有しており、万一停電が発生した際でも停電時の状態を保持し、停電からの復帰（復電）の際には停電時の状態に復帰できるようになっている。従って、例えば遊技ホールの営業終了の場合のように通常手順で電源を遮断すると遮断前の状態が記憶保持されるが、ＲＡＭ消去スイッチ３２３を押しながら電源を投入すると、ＲＡＭデータが初期化されるようになっている。
【０１５８】
取付台３０１は例えば無色透明な樹脂成型品よりなり、その表面に平坦状をなす基板搭載面３０２が設けられている。基板搭載面３０２には、発射制御装置３１２、電源装置３１３及びカードユニット接続基板３１４が横並びとなった状態で搭載され、ネジ等で固定されている。電源装置３１３の基板ボックス３１７上には略平板状の台座プレート３０３が載置されるとともに台座プレート３０３上に払出制御装置３１１が搭載され、ネジ等で固定されている。払出制御装置３１１と電源装置３１３との間には台座プレート３０３が介在するため、例えばノイズ除去用の金属プレート等を設置するには台座プレート３０３に金属プレート等を取り付ければ良く、ノイズ対策が簡単に実現できる。
【０１５９】
取付台３０１には、パチンコ機１０後方からみて右端部に上下一対の掛止ピン３０５が設けられており、掛止ピン３０５を前記軸受け部２３７に上方から挿通させることで、第２制御基板ユニット２０２が本体枠１２に対して回動可能に片持ち支持される。取付台３０１の左端部には締結具として上下一対のナイラッチ３０６が設けられており、ナイラッチ３０６を前記被締結孔２３９にはめ込むことで、第２制御基板ユニット２０２が本体枠１２に固定される。なお、軸受け部２３７及び掛止ピン３０５が前記支軸部Ｍ４に、被締結孔２３９及びナイラッチ３０６が前記締結部Ｍ５に、それぞれ相当する。
【０１６０】
次に、裏パックユニット２０３の構成を図２５〜図２７に基づいて説明する。図２５は裏パックユニット２０３の正面図、図２６は裏パックユニット２０３の分解斜視図である。図２７はタンクレールの分解斜視図である。
【０１６１】
裏パックユニット２０３は、裏パック３５１と遊技球の払出機構部３５２とが一体化されることにより構成されている。裏パック３５１は例えばＡＢＳ樹脂等の合成樹脂により一体成型されており、略平坦状のベース部３５３と、パチンコ機１０後方に突出し横長の略直方体形状をなす保護カバー部３５４とを有する。保護カバー部３５４は左右側面及び上面が閉鎖され且つ下面のみが開放された形状をなし、少なくとも可変表示ユニット３５を囲むのに十分な大きさを有する。但し、本実施の形態では、前述の音声ランプ制御装置２７２も併せて囲む構成となっている。保護カバー部３５４の背面には多数の通気孔３５４ａが設けられている。通気孔３５４ａは各々が長孔状をなし、それぞれの通気孔３５４ａが比較的近い位置で隣り合うよう設けられている。従って、隣り合う通気孔３５４ａ間にある樹脂部分を切断することにより、裏パック３５１の背面を容易に開口させることができる。つまり、通気孔３５４ａ間の樹脂部分を切断してその内部の表示制御装置２１４等を露出させることで、所定の検定等を容易に実施することができるようになっている。
【０１６２】
裏パック３５１のベース部３５３には、保護カバー部３５４を迂回するようにして払出機構部３５２が配設されている。すなわち、裏パック３５１の最上部には上方に開口したタンク３５５が設けられており、タンク３５５には遊技ホールの島設備から供給される遊技球が逐次補給される。タンク３５５の下方には、例えば横方向２列（２条）の球通路を有し下流側に向けて緩やかに傾斜するタンクレール３５６が連結され、タンクレール３５６の下流側には上下方向に延びるケースレール３５７が連結されている。払出装置３５８はケースレール３５７の最下流部に設けられ、払出制御装置３１１の制御により払出モータ３５８ａが駆動されて必要個数の遊技球の払出が適宜行われる。払出装置３５８より払い出された遊技球は払出通路３５９等を通じて前記上皿２３等に供給される。なお、図示は省略するが、ケースレール３５７の上流部には、タンク３５５やタンクレール３５６から供給される遊技球の有無を検出するタンク球無しセンサが設けられている。また、払出装置３５８には、払出モータ３５８ａの回転を検出する払出回転センサと、払い出される遊技球数をカウントする払出カウントスイッチとが設けられている。
【０１６３】
タンクレール３５６には、当該タンクレール３５６に振動を付加するためのバイブレータ３６０が取り付けられている。バイブレータ３６０は、バイブモータとそのバイブモータを収容する合成樹脂製のケースとによりユニット化されており、２本の脚部３６０ａでタンクレール３５６に取り付けられている。従って、仮にタンクレール３５６付近で球詰まりが生じた際、バイブレータ３６０が駆動されることで球詰まりが解消されるようになっている。
【０１６４】
タンクレール３５６の構成ついて詳述すると、図２７に示すように、タンクレール３５６は上方に開口した長尺樋状をなすレール本体３６１を有している。レール本体３６１の上流部には球面状の球受部３６２が形成され、球受部３６２によりタンク３５５より落下してきた遊技球が円滑にレール本体３６１内に取り込まれるようになっている。レール本体３６１には長手方向に延びる仕切壁３６３が設けられており、仕切壁３６３により遊技球が二手に分流されるようになっている。仕切壁３６３により仕切られた２条の球通路は遊技球の直径よりも僅かに幅広となっている。仕切壁３６３により仕切られた各球通路の底面には、１筋又は２筋の突条３６４が設けられると共に、その突条３６４の側方に塵埃を落下させるための開口部３６５が設けられている。レール本体３６１には、その下流側半分程度の天井部分を覆うようにして整流板３６７が配設されている。整流板３６７は、下流側ほどタンクレール３５６内の球通路高さを制限するよう弓なりに反った形状をしており、その下面には長手方向に延びる凸部３６８が形成されている。これにより、タンクレール３５６内を流れる各遊技球は最終的には上下に積み重なることなく下流側に流出する。従って、タンクレール３５６に多量の遊技球が流れ込んできても、遊技球の噛み込みが防止され、タンクレール３５６内における球詰まりが発生し難くなっている。なお、レール本体３６１が帯電防止のために黒色の導電性ポリカーボネート樹脂により成形されるのに対し、整流板３６７は球詰まり等を目視で確認できるように透明のポリカーボネート樹脂により成形されている。整流板３６７は着脱可能に設けられており、当該整流板３６７を取り外すことによりタンクレール３５６内のメンテナンスが容易に実施できるようになっている。整流板３６７には、遊技球の流下を阻止するための手動式のストッパ３６９が取り付けられている。
【０１６５】
図２５，図２６の説明に戻り、払出機構部３５２には、払出制御装置３１１から払出装置３５８への払出指令の信号を中継する払出中継基板３８１が設置されると共に、外部より主電源を取り込むための電源スイッチ基板３８２が設置されている。電源スイッチ基板３８２には、電圧変換器を介して例えば交流２４ボルトの主電源が供給され、電源スイッチ３８２ａの切替操作により電源ＯＮ又は電源ＯＦＦとされるようになっている。
【０１６６】
タンク３５５から払出通路３５９に至るまでの払出機構部３５２は何れも導電性を有する合成樹脂材料、例えば導電性ポリカーボネート樹脂にて成形され、その一部にてアースされている。これにより、遊技球の帯電によるノイズの発生が抑制されるようになっている。
【０１６７】
裏パック３５１には、その右上部に枠用外部端子板３９０が設けられている。枠用外部端子板３９０には、タンク３５５やタンクレール３５６で遊技球が不足した場合に信号出力するための出力端子、所定個数の賞球を払い出す毎に信号出力するための出力端子、所定個数の遊技球を貸し出す毎に信号出力するための出力端子、本体枠１２の開放時に信号出力するための出力端子、及び前扉枠１３の開放時に信号出力するための出力端子が設けられている。そして、これらの出力端子を通じて、遊技ホール側の管理制御装置に対して枠側の状態に関する信号が出力される。なお、所定個数の遊技球を貸し出す毎に信号出力するための出力端子はいわゆる現金機においては不要である。
【０１６８】
裏パック３５１には、枠用外部端子板３９０に隣接して略四角形状の窓部３９１が設けられている。従って、裏パックユニット１０３を本体枠１２に取り付けた状態では、窓部３９１を通じて遊技盤３０裏面の盤用外部端子板２３０が露出し、裏パックユニット１０３を装着したままで盤用外部端子板２３０の操作を行うことができるようになっている。前述のとおり、盤用外部端子板２３０は取り外し容易な状態で集合板ユニット２１５に取り付けられていることから、盤用外部端子板２３０の配線を接続したままで、窓部３９１を介して当該盤用外部端子板２３０を取り出すことも可能となる。裏パック３５１の右上部には本体枠１２の開放の状態を検出するための本体枠開放スイッチ３９２が設けられており、外枠１１に対して本体枠１２を閉じた状態では当該スイッチ３９２の金属接点が閉じて本体枠１２の閉鎖が検知され、外枠１１に対して本体枠１２を開いた状態では金属接点が開いて本体枠１２の開放が検知されるようになっている。
【０１６９】
裏パック３５１には、パチンコ機１０後方からみて右端部に上下一対の掛止ピン３８５が設けられており、掛止ピン３８５を前記軸受け部２３８に上方から挿通させることで、裏パックユニット２０３が本体枠１２に対して回動可能に片持ち支持される。裏パック３５１には、左端部に締結具として上下一対のナイラッチ３８６が設けられると共に、上端部に係止孔３８７が設けられており、ナイラッチ３８６を前記被締結孔２４０にはめ込むと共に、係止孔３８７に前記固定具２４２を挿入した上で当該固定具２４２を回動操作することで、裏パックユニット２０３が本体枠１２に固定される。また、前記固定具２４１，２４３によっても裏パックユニット２０３が本体枠１２に固定される。なお、軸受け部２３８及び掛止ピン３８５が前記支軸部Ｍ６に、被締結孔２４０及びナイラッチ３８６が前記締結部Ｍ７に、固定具２４２及び係止孔３８７が前記係止部Ｍ８に、それぞれ相当する。また、固定具２４３が前記係止部Ｍ９に相当する。
【０１７０】
次に、本パチンコ機１０の電気的構成について、図２８のブロック図に基づいて説明する。
【０１７１】
主制御装置２７１には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するためのメモリであるＲＡＭ５０３と、割込回路やタイマ回路、データ送受信回路などの各種回路が内蔵されている。
【０１７２】
ＲＡＭ５０３は、パチンコ機１０の電源の遮断後においても電源装置３１３からバックアップ電圧が供給されてデータを保持（バックアップ）できる構成となっており、ＲＡＭ５０３には、各種のデータ等を一時的に記憶するためのメモリやエリアの他に、バックアップエリア５０３ａが設けられている。
【０１７３】
バックアップエリア５０３ａは、停電などの発生により電源が遮断された場合において、電源遮断時（停電発生時を含む。以下同様）のスタックポインタや、各レジスタ、Ｉ／Ｏ等の値を記憶しておくためのエリアであり、電源投入時（停電解消による電源投入を含む。以下同様）には、バックアップエリア５０３ａの情報に基づいてパチンコ機１０の状態が電源遮断前の状態に復帰できるようになっている。バックアップエリア５０３ａへの書き込みはＮＭＩ割込み処理（図３３参照）によって電源遮断時に実行され、バックアップエリア５０３ａに書き込まれた各値の復帰は電源投入時のメイン処理（図２６参照）において実行される。なお、ＣＰＵ５０１のＮＭＩ端子（ノンマスカブル割込端子）には、停電等の発生による電源遮断時に、停電監視回路５４２からの停電信号ＳＧ１が入力されるように構成されており、停電の発生により停電時処理としてのＮＭＩ割込み処理が即座に実行される。
【０１７４】
主制御装置２７１のＣＰＵ５０１には、アドレスバス及びデータバスで構成されるバスライン５０４を介して入出力ポート５０５が接続されている。入出力ポート５０５には、後述するＲＡＭ消去スイッチ回路５４３、払出制御装置３１１、表示制御装置２１４や、その他図示しないスイッチ群などが接続されている。
【０１７５】
払出制御装置３１１は、払出モータ３５８ａにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【０１７６】
払出制御装置３１１のＲＡＭ５１３は、主制御装置２７１のＲＡＭ５０３と同様に、パチンコ機１０の電源の遮断後においても電源装置３１３からバックアップ電圧が供給されてデータを保持（バックアップ）できる構成となっており、ＲＡＭ５１３には、各種のデータ等を一時的に記憶するためのメモリやエリアの他に、バックアップエリア５１３ａが設けられている。
【０１７７】
バックアップエリア５１３ａは、停電などの発生により電源が遮断された場合において、電源遮断時のスタックポインタや、各レジスタ、Ｉ／Ｏ等の値を記憶しておくためのエリアであり、電源投入時には、このバックアップエリア５１３ａの情報に基づいてパチンコ機１０の状態が電源遮断前の状態に復帰できるようになっている。バックアップエリア５１３ａへの書き込みはＮＭＩ割込み処理によって電源遮断時に実行され、バックアップエリア５１３ａに書き込まれた各値の復帰は電源投入時のメイン処理において実行される。なお、主制御装置２７１のＣＰＵ５０１と同様、ＣＰＵ５１１のＮＭＩ端子にも、停電等の発生による電源遮断時に停電監視回路５４２から停電信号ＳＧ１が入力されるように構成されており、停電の発生により、ＮＭＩ割込み処理が即座に実行されるようになっている。
【０１７８】
払出制御装置３１１のＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２７１、発射制御装置３１２、払出モータ３５８ａなどがそれぞれ接続されている。
【０１７９】
発射制御装置３１２は、発射モータ２２９による遊技球の発射を許可又は禁止するものであり、発射モータ２２９は、所定条件が整っている場合に駆動が許可される。具体的には、払出制御装置３１１から発射許可信号が出力されていること、遊技者が遊技球発射ハンドル１８に触れていることをセンサ信号により検出していること、発射を停止させるための発射停止スイッチが操作されていないことを条件に、発射モータ２２９が駆動され、遊技球発射ハンドル１８の操作量に応じた強さで遊技球が発射される。
【０１８０】
表示制御装置２１４は、第１図柄表示装置４１における第１図柄（特別図柄）の変動表示と、第２図柄表示装置４２における第２図柄（普通図柄）の変動表示とを制御するものである。表示制御装置２１４は、ＣＰＵ５２１と、ＲＯＭ（プログラムＲＯＭ）５２２と、ワークＲＡＭ５２３と、ビデオＲＡＭ５２４と、キャラクタＲＯＭ５２５と、画像コントローラ５２６と、入力ポート５２７と、２つの出力ポート５２８，５２９と、バスライン５３０，５３１とを備えている。入力ポート５２７の入力側には主制御装置２７１の出力側が接続され、入力ポート５２７の出力側には、ＣＰＵ５２１、ＲＯＭ５２２、ワークＲＡＭ５２３、画像コントローラ５２６が接続されると共にバスライン５３０を介して出力ポート５２８が接続されている。出力ポート５２８の出力側には第２図柄表示装置４２（表示部４５）や、音声ランプ制御装置２７２が接続されている。また、画像コントローラ５２６にはバスライン５３１を介して出力ポート５２９が接続されており、その出力ポート５２９の出力側には第１図柄表示装置４１が接続されている。
【０１８１】
表示制御装置２１４のＣＰＵ５２１は、主制御装置２７１から送信される図柄表示コマンドに基づいて第１図柄表示装置４１及び第２図柄表示装置４２の表示を制御する。ＲＯＭ５２２は、ＣＰＵ５２１により実行される各種の制御プログラムや固定値データを記憶するためのメモリであり、ワークＲＡＭ５２３は、ＣＰＵ５２１による各種プログラムの実行時に使用されるワークデータやフラグを一時的に記憶するためのメモリである。
【０１８２】
ビデオＲＡＭ５２４は、第１図柄表示装置４１に表示される表示データを記憶するためのメモリであり、ビデオＲＡＭ５２４の内容を書き替えることにより、第１図柄表示装置４１の表示内容が変更される。キャラクタＲＯＭ５２５は、第１図柄表示装置４１に表示される図柄などのキャラクタデータを記憶するためのメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを、キャラクタＲＯＭ５２５から所定のタイミングで読み出して第１図柄表示装置４１に表示させるものである。
【０１８３】
電源装置３１３は、パチンコ機１０の各部に電源を供給するための電源部５４１と、停電等による電源遮断を監視する停電監視回路５４２と、ＲＡＭ消去スイッチ３２３に接続されてなるＲＡＭ消去スイッチ回路５４３とを備えている。電源部５４１は、図示しない電源経路を通じて、主制御装置２７１や払出制御装置３１１等に対して各々に必要な動作電源を供給する。その概要としては、電源部５４１は、外部より供給される交流２４ボルト電源を取り込み、各種スイッチやモータ等を駆動するための＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２７１や払出制御装置３１１等に対して供給する。なお、発射制御装置３１２に対しては払出制御装置３１１を介して動作電源（＋１２Ｖ電源、＋５Ｖ電源等）が供給される。
【０１８４】
停電監視回路５４２は、停電等の発生による電源遮断時に、主制御装置２７１のＣＰＵ５０１及び払出制御装置３１１のＣＰＵ５１１の各ＮＭＩ端子へ停電信号ＳＧ１を出力するための回路である。停電監視回路５４２は、電源部５４１から出力される最大電圧である直流安定２４ボルトの電圧を監視し、この電圧が２２ボルト未満になった場合に停電（電源遮断）の発生と判断して、停電信号ＳＧ１を主制御装置２７１及び払出制御装置３１１へ出力する。停電信号ＳＧ１の出力によって、主制御装置２７１及び払出制御装置３１１は、停電の発生を認識し、ＮＭＩ割込み処理を実行する。なお、電源部５４１は、直流安定２４ボルトの電圧が２２ボルト未満になった後においても、ＮＭＩ割込み処理の実行に充分な時間の間、制御系の駆動電圧である５ボルトの出力を正常値に維持するように構成されている。よって、主制御装置２７１及び払出制御装置３１１は、ＮＭＩ割込み処理を正常に実行し完了することができる。
【０１８５】
ＲＡＭ消去スイッチ回路５４３は、ＲＡＭ消去スイッチ３２３のスイッチ信号を取り込み、そのスイッチ３２３の状態に応じて主制御装置２７１及び払出制御装置３１１のバックアップデータをクリアするためのＲＡＭ消去信号ＳＧ２を出力する回路である。ＲＡＭ消去スイッチ３２３が押された際、ＲＡＭ消去スイッチ回路５４３は、主制御装置２７１及び払出制御装置３１１に対してＲＡＭ消去信号ＳＧ２を出力する。これにより、ＲＡＭ消去スイッチ３２３が押された状態でパチンコ機１０の電源が投入されると、主制御装置２７１及び払出制御装置３１１においてそれぞれのバックアップエリア５０３ａ，５１３ａのデータがクリアされる。
【０１８６】
以上詳述した本実施の形態によれば、以下の優れた効果を奏する。
【０１８７】
前扉枠１３に取り付けられるガラスユニット１６０において、ガラスフレーム１６１と各ガラス板１６５，１６６とによって囲まれた密閉空間１６７内に乾燥剤ユニット１８０（乾燥剤１８２）を配置したことから、乾燥剤１８２を密閉する専用工程が不要となり、結露防止対策が施されたガラスユニット１６０における組立作業効率を高めることが可能となる。
【０１８８】
ケーシング１８１内を複数の乾燥剤収容室１８４に区画することにより、区画しない場合と比較して、乾燥剤１８２が一部に偏ることを防止することができ、吸湿効果の低下を抑止できる。また、乾燥剤ユニット１８０をガラスユニット１６０に配設した際に、隔壁１８３がパチンコ機１０の上下方向に対して斜めとなるような構成とすることにより、乾燥剤１８２同士や乾燥剤１８２とケーシング１８１との接触面を低減することが可能となり、乾燥剤１８２における水分の吸着に関わる有効表面積が減少することを防ぐことが可能となる。
【０１８９】
また、ガラスフレーム１６１及びガラス板１６５，１６６を前扉枠１３の窓部１０１よりも外方に拡張し、密閉空間１６７内であってガラスフレーム１６１及びガラス板１６５，１６６の拡張部分に対応した部位に乾燥剤ユニット１８０（乾燥剤１８２）を配置する構成としたため、密閉空間１６７内における十分な吸湿能力を発揮させることができるとともに、窓部１０１を介して乾燥剤ユニット１８０（乾燥剤１８２）が視認されることを防止することができる。かかる場合、ガラスフレーム１６１及びガラス板１６５，１６６を拡張して乾燥剤ユニット１８０を配置するため、ガラスユニット１６０に十分量の乾燥剤１８２を配備することが可能となる。
【０１９０】
特に本実施の形態のパチンコ機１０は遊技領域の拡張化を図っていることから、前扉枠１３の窓部１０１やそれに組み付けられるガラスユニット１６０が大型化されているが、かかる場合においても、上述したガラスユニット１６０の特徴的な構成により十分な吸湿効果を確保できる。本実施の形態のガラスユニット１６０は、遊技領域拡張型のパチンコ遊技機にとって特に有益なものであると言える。
【０１９１】
また、ガラスユニット１６０において、乾燥剤ユニット１８０のケーシング１８１に収容された乾燥剤１８２は外部から視認できる構成であるため、前扉枠１３を開放すれば、乾燥剤１８２の状態を容易に確認することができる。したがって、乾燥剤１８２の状態に応じたガラスユニット１６０の交換作業等を行うことが可能となる。
【０１９２】
また、乾燥剤ユニット１８０を構成しそれを密閉空間１６７内に配置する構成としたため、乾燥剤１８２は予めケーシング１８１内に収容しておけばよく、その取り扱いが容易となる。故に、乾燥剤１８２を収納する際の作業性が改善される。
【０１９３】
ここで、従来技術たる特開平９−７１８号公報に開示されたガラスユニットと直接対比してみると、以下の相違点が挙げられる。
・上記公報のガラスユニットでは、ガラス板を枠体に密閉状態で固定する工程と、乾燥剤を枠体の収納室に収納した上でその収納室を密閉する工程とが不可欠であるが、本実施の形態のガラスユニット１６０では、ガラス板１６５，１６６をガラスフレーム１６１に密閉状態で固定する工程でそれと同時に乾燥剤が収納保持できる。
・上記公報のガラスユニットでは、枠体に設けた溝状の収納室内に乾燥剤を収納する構成であるために乾燥剤の収納量が制限される（枠体の断面寸法で概ね決まる）が、本実施の形態のガラスユニット１６０では十分量の乾燥剤が収納できる。因みに、上記公報のガラスユニットにおいて、乾燥剤の収納量を増やすべく、枠体に設けた収納室を外方に延ばして設けることが考えられるが、これでは両ガラス板間の空間と収納室との間の連通部分が小さいままであるため、十分な吸湿効果が期待できないおそれがある。また、枠体に設けた収納室を当該枠体の外周に沿って延ばして設けることが考えられるが、これでは収納室を密閉する作業がより煩雑なものもとなってしまう。
・上記公報のガラスユニットでは乾燥剤の状態が視認できないのに対し、本実施の形態のガラスユニット１６０では乾燥剤の状態が視認できる。
【０１９４】
なお、上述した実施の形態の記載内容に限定されず、例えば次のように実施してもよい。
【０１９５】
（ａ）上記実施の形態では、ケーシング１８１を透明な樹脂にて形成したが、本形態に限らず、内部の乾燥剤１８２が視認可能な構成であればよい。例えば、半透明であってもよいし、有色透明であってもよい。また、ガラスフレーム１６１が透明であってもよい。
【０１９６】
（ｂ）ガラスユニット１６０のガラスフレーム１６１及びガラス板１６５，１６６の形状を変更する。具体的には、ガラスフレーム１６１及びガラス板１６５，１６６の下部左側とは異なる部位、例えばガラスフレーム１６１及びガラス板１６５，１６６の下部右側、上部左側、上部右側のいずれかにおいて外方への拡張領域を設けてもよい。また、ガラスフレーム１６１及びガラス板１６５，１６６の外周部において複数箇所で外方への拡張領域を設けてもよい。
【０１９７】
透明板組立体としてのガラスユニットの別構成を図２９の（ａ），（ｂ）に示す。なお、図中の二点鎖線は何れも、前扉枠１３の窓部１０１を通じて視認できる視認領域Ｒａを示している。図２９の（ａ）に示すガラスユニット５５０では、全体として略円環状のガラスフレーム５５１の一部に拡張部５５２を形成し、この拡張部５５２に乾燥剤ユニット５５３を配置している。この場合、ガラスフレーム５５１の形状に合わせて前後一対のガラス板５５４の形状も変更している。
【０１９８】
また、図２９の（ｂ）に示すガラスユニット５６０では、ガラスフレーム５６１のほぼ上半分を略円弧状とし、ほぼ下半分を矩形枠状としている。そして、ガラスフレーム５６１の下側隅角部を視認領域Ｒａ（前扉枠１３の窓部１０１）に対して外方に拡張された拡張部分として、当該拡張部分に乾燥剤ユニット５６３を配置している。この場合にも、ガラスフレーム５６１の形状に合わせて前後一対のガラス板５６４の形状を変更している。
【０１９９】
図２９の（ａ），（ｂ）の構成においても、前述した実施の形態と同様に、ガラスユニット５５０，５６０における組立作業効率が向上すること、十分な吸湿能力が発揮できること等の優れた効果を奏し得る。なお、図２９では図示を省略したが、乾燥剤ユニット５５３，５６３を位置決めするための位置決め部を適宜設けることも可能である。
【０２００】
（ｃ）前記ガラスユニット１６０では、図１０に示したように、ガラスフレーム１６１に形成した仕切部１７３をガラス板１６５，１６６間の隙間（すなわちガラスフレーム１６１の突出部１６３の幅）よりも幅狭とし（図１０に示していない支持基部１７１，１７２も同様）、密閉空間１６７を、支持基部１７１，１７２及び仕切部１７３とガラス板１６５，１６６との間の隙間を介して乾燥剤支持部１７０内の空間に連通したが、この構成を変更する。例えば、図３０に示すように、仕切部５７１を突出部１６３の幅と同幅に形成し、仕切部５７１の両端面をガラス板１６５，１６６に当接させる。この場合特に、仕切部５７１に複数の通気孔５７２を形成しておき、密閉空間１６７を通気孔５７２を介して乾燥剤支持部１７０内の空間に連通させるようにする。かかる構成においても同等の優れた効果を奏し得る。
【０２０１】
（ｄ）例えばガラスユニット１６０において、ガラスフレーム１６１の内周側に支持基部１７１，１７２や仕切部１７３のような位置決め部を設けず、乾燥剤ユニット１８０をガラスフレーム１６１に固着する構成としてもよい。要は、密閉空間１６７内に乾燥剤ユニット１８０（乾燥剤１８２）が固定できる構成であればよい。
【０２０２】
（ｅ）例えばガラスユニット１６０において、ケーシング１８１内に区画形成した各乾燥剤収容室１８４に種類の異なる乾燥剤（又は吸湿剤）を収容する構成としてもよい。この場合、各乾燥剤収容室１８４の乾燥剤が混ざり合わないようにして、それら乾燥剤を収容することができる。
【０２０３】
（ｆ）上記実施の形態では、ガラスユニット１６０においてケーシング１８１内を３つの乾燥剤収容室１８４に区分したが、この構成に限定されるものではなく、ケーシング１８１内をより多数の乾燥剤収容室１８４に区分してもよい。
【０２０４】
（ｇ）単一の乾燥剤収容室１８４からなるケーシング１８１に乾燥剤１８２を収納して単位ユニットとし、この単位ユニットを密閉空間１６７内に配置する構成としてもよい。この場合、単位ユニットの個々の吸湿能力が予め分かっていれば、設置個数によりガラスユニット１６０としての吸湿能力が任意に決定できる。このため、所望の吸湿能力を確保しつつ、単位ユニットを密閉空間内１６７内に隣接して設けたり、分散して設けたりするなど自由度の高いガラスユニット１６０の設計を行うことが可能となる。さらに、この単位ユニットを用いることにより、種々の大きさのガラスユニット１６０に対応することも可能となる。また、このような乾燥剤ユニットが市販されている場合には、これを必要数組み合わせて用いればよいため、乾燥剤ユニットの製造単価を抑えることが可能となる。
【０２０５】
（ｈ）例えばガラスユニット１６０において、密閉空間１６７内に複数個の乾燥剤ユニット１８０を各々配置する構成としてもよい。例えば、図２９（ｂ）のようなガラスユニット５６０において、左下部及び右下部に乾燥剤ユニット１８０を配置する。かかる構成においては、ケーシング１８１内の区分を無くして単一の乾燥剤収容室１８４としてもよい。
【０２０６】
（ｉ）吸湿体として、棒状の乾燥剤（又は吸湿剤）や板状の乾燥剤（又は吸湿剤）等を用いることも可能である。
【０２０７】
（ｊ）乾燥剤ユニットの容器（ケーシング）に、乾燥剤に残存する吸湿能力を示す吸湿能力表示手段を付設する構成としてもよい。具体的には、吸湿能力の低下に伴い順次変色するシール等を容器に貼っておき、外部から視認できるようにしておく。また、吸湿能力の低下に伴い明らかに変色する吸湿能力表示用の乾燥剤を用い、当該乾燥剤をケーシング内の少なくとも１室に収容して外部から視認できるようにしておく。本構成により、乾燥剤の吸湿能力の低下が相対的に評価できる。故に、乾燥剤の吸湿能力を容易に確認することができ、仮に吸湿能力が低下した場合にはガラスユニットの交換等を促すことができる。
【０２０８】
（ｋ）前記ガラスユニット１６０では、図６，図７等に示したように、ケーシング１８１内に乾燥剤１８２を収容して乾燥剤ユニット１８０を構成し、この乾燥剤ユニット１８０をガラスフレーム１６１の内周側に配置したが、この構成に代えて、吸湿体としての乾燥剤をガラスフレーム１６１とガラス板１６５，１６６とからなる領域内に直接収容させる構成としてもよい。具体的には、図３１に示すように、ガラスフレーム１６１の内周側において隔壁５８１により区画された複数（図では３つだが、任意の数でよい）の乾燥剤収容室５８２を設けておき、これら乾燥剤収容室５８２毎に粒状の乾燥剤５８３を多数収容させる。なお、乾燥剤収容室５８２の内外が連通されるよう、隔壁５８１とガラス板との間に隙間が設けられているか、或いは隔壁５８１に複数の通気孔が設けられている。本構成によれば、乾燥剤ユニット１８０を配置する場合に比べて、乾燥剤収容スペースが小さくて済み、同等の吸湿能力を付与する場合において、前扉枠１３の窓部１０１外方に拡張する拡張領域を小さくすることができる。なお、図３１では、ガラスフレーム１６１の一部に複数の乾燥剤収容室５８２を隣接して形成する構成を例示したが、複数の部位に乾燥剤収容室５８２を離間して形成する構成としてもよい。例えば、図２９（ｂ）に示すガラスユニット５６０では、左下部及び右下部に乾燥剤収容室５８２を形成する。
【０２０９】
ちなみに、図３１の乾燥剤収容室５８２に乾燥剤ユニット１８０を収容する構成としてもよい。この場合、乾燥剤１８２の粉塵等が、乾燥剤収容室５８２の外部へこぼれでることを抑制できる。また、乾燥剤１８２をユニット化せずに乾燥剤収容室５８２へ収納した場合、通気孔（隙間）から乾燥剤収容室５８２の外部へ乾燥剤１８２又は乾燥剤１８２の粉塵等がこぼれでることを抑制するために、乾燥剤１８２の粒径管理を行う工程が必要となる。しかしながら、乾燥剤１８２をユニット化することにより、当該工程を簡単なものとすることが可能となる。かかる構成においては、乾燥剤ユニット１８０として、通気性を有する袋状の収納部材に乾燥剤１８２を入れたものを用いてもよい。
【０２１０】
（ｌ）ガラスフレーム１６１に、乾燥剤１８２を収納可能であって、且つ、ガラス板１６５（１６６）と相対する方向に開口した収容凹部を設ける構成としてもよい。図３２において、（ａ）は当該構成のガラスユニット１６０全体を示す正面図、（ｂ）は（ａ）のＸ−Ｘ線断面図である。なお便宜上、図３２（ａ）ではガラス板１６５，１６６の一部を破断して示すが、（ｂ）ではガラス板１６５，１６６を組み付けた状態を示す。また、図３２（ｂ）において、ガラスフレーム１６１の形状を容易に理解できるよう、乾燥剤１８２は省略している。図３２（ａ）に示すように、ガラスフレーム１６１の内周側には、密閉空間１６７を２つの領域に分割する隔壁５９０が設けられており、この隔壁５９０により乾燥剤１８２を収納する収容凹部５９１が形成されている。また、図３２（ｂ）に示すように、収容凹部５９１の開口部はガラス板１６５で覆われるようになっており、ガラス板１６５を通して乾燥剤１８２が視認可能となっている。この場合、ガラス板１６５，１６６は非対称形状をなしており、収容凹部５９１を覆わないガラス板１６６を小型化することが可能となる。さらに、隔壁５９０の端部とガラス板１６５との間には所定の隙間が形成されており、これが通気通路を構成するため、通気孔を新たに設ける必要がなく、容易にガラスフレーム１６１を製造することが可能となる。なお、端部をガラス板１６５に密接させる構成とし、開口端部の一部に切欠きを設け、これを通気通路としてもよい。
【０２１１】
また、図３２（ｂ）の構成を図３３のように変更することもできる。図３３では、収容凹部５９１の開口部と底部をともにガラス板１６５，１６６で覆う構成を示す。収容凹部５９１の開口部はガラス板１６５と密接し、底部はガラス板１６６と隙間を有して覆われている。また、収容凹部５９１の底部には密閉空間１６７と連通する通気孔５９２が形成されている。かかる構成によれば、ガラスユニット１６０をパチンコ機１０に取り付けると、通気孔５９２がパチンコ機１０の前後方向に貫通することとなる。このため、粒径が通気孔５９２より小さい乾燥剤１８２や粉塵等は、収容凹部５９１内の下部に堆積することとなり、通気孔５９２から密閉空間１６７へこぼれでることを抑制することができる。
【０２１２】
なお、上述した図３２，３３の構成において、収容凹部５９１に乾燥剤ユニット１８０を収納する構成としてもよい。
【０２１３】
（ｍ）ガラスフレーム内周部においてガラス面に沿って延びる略平板状の保持板部を設けて該保持板部により乾燥剤や乾燥剤ユニットを保持する構成とし、更に、保持板部には、乾燥剤等の保持側とは逆側でガラス板との間に隙間を設けるとともに、１又は複数の通気孔を設ける構成としてもよい。
【０２１４】
（ｎ）例えばガラスユニット１６０の前扉枠１３への組み付けに関し、前扉枠１３にガラスユニット１６０（ガラスフレーム１６１）の外形形状に合わせた凹部を設けておき、その凹部にガラスユニット１６０をはめ込む構成であってもよい。そして、ガラスユニット１６０にフック等を係止させて脱落防止構造としておけばよい。
【０２１５】
（ｏ）ガラスフレームの外周面に開口部を有する収納室を備え、この収納室を蓋部材にて密閉する構成のガラスユニットにおいて、この蓋部材に、透明状の樹脂製品を用いたり、ガラス板を用いたりしてもよい。かかる構成のガラスユニットは実用化されているため、蓋部材の変更のみにて乾燥剤の状態を視認可能とすることができ、ガラスユニットの開発費用を抑えることができる。
【０２１６】
（ｐ）上記実施の形態では、前扉枠１３に、前後一対のガラス板１６５，１６６を有するガラスユニット１６０等を取り付ける構成としたが、所定の透明性を有していれば、透明板としていかなる材質のものを採用してもよい。例えば、「ガラス板」に代えて「透明樹脂板」を採用してもよい。
【０２１７】
（ｑ）上記実施の形態では、従来に比べて遊技領域が比較的大きいパチンコ機１０について説明したが、これに限らず、従来のような遊技領域や窓部等を有するパチンコ機等の遊技機にも適用できる。また、上記実施の形態とは異なる他のタイプの弾球遊技機、例えば可変表示ユニット３５等のないパチンコ機や、他の役物を備えたパチンコ機、アレンジボール機、雀球等の遊技機にも適用できる。その他、スロットマシン等の回胴式遊技機や、パチンコ球等の遊技球を遊技媒体として使用する球使用ベルト式遊技機にも適用できる。
【図面の簡単な説明】
【図１】一実施の形態におけるパチンコ機を示す正面図である。
【図２】パチンコ機の主要な構成を展開又は分解して示す斜視図である。
【図３】パチンコ機を構成する本体枠の前面構成を示す正面図である。
【図４】遊技盤の構成を示す正面図である。
【図５】前扉枠の構成を示す背面図である。
【図６】ガラスユニットの全体を示す正面図である。
【図７】乾燥剤ユニットを拡大して示す正面図である。
【図８】図６のＡ−Ａ線断面図である。
【図９】図６のＢ−Ｂ線断面図である。
【図１０】図６のＣ−Ｃ線断面図である。
【図１１】パチンコ機の構成を示す背面図である。
【図１２】パチンコ機の背面構成を主要部品毎に分解して示す分解斜視図である。
【図１３】パチンコ機裏面における第１制御基板ユニット、第２制御基板ユニット及び裏パックユニットの配置を示す模式図である。
【図１４】本体枠及び遊技盤の構成を示す背面図である。
【図１５】本体枠の背面構成を示す斜視図である。
【図１６】遊技盤の背面構成を示す斜視図である。
【図１７】軸受け金具の構成を示す斜視図である。
【図１８】第１制御基板ユニットの構成を示す正面図である。
【図１９】第１制御基板ユニットの構成を示す斜視図である。
【図２０】第１制御基板ユニットの分解斜視図である。
【図２１】第１制御基板ユニットの背面構成を示す分解斜視図である。
【図２２】第２制御基板ユニットの構成を示す正面図である。
【図２３】第２制御基板ユニットの構成を示す斜視図である。
【図２４】第２制御基板ユニットの分解斜視図である。
【図２５】裏パックユニットの構成を示す正面図である。
【図２６】裏パックユニットの分解斜視図である。
【図２７】タンクレールの分解斜視図である。
【図２８】パチンコ機の電気的構成を示すブロック図である。
【図２９】ガラスユニットの別構成を示す正面図である。
【図３０】ガラスユニットの一部を破断して示す断面図である。
【図３１】ガラスユニットの乾燥剤収容部を拡大して示す一部破断正面図である。
【図３２】ガラスユニットの別構成を示す図面である。
【図３３】図３２のＸ−Ｘ線断面図である。
【符号の説明】
１０…遊技機としてのパチンコ機、１１…外枠、１２…本体枠、１３…窓枠としての前扉枠、３０…遊技盤、３８…切欠、５０…レールユニット、９１…シリンダ錠、１０１…窓部、１６０…ガラスユニット、１６１…ガラスフレーム、１６５，１６６…ガラス板、１６７…密閉空間、１７１，１７２…支持基部、１７３…仕切部、１８０…乾燥剤ユニット、１８１…ケーシング、１８２…乾燥剤、１８４…乾燥剤収容室、１８５…通気孔、１８６…突起、２３５…軸受け金具、２４８…連動杆、５５０，５６０…ガラスユニット、５５１，５６１…ガラスフレーム、５５３，５６３…乾燥剤ユニット、５５４，５６４…ガラス板、５８２…乾燥剤収容室、５８３…乾燥剤、５９０…隔壁、５９１…収容凹部。
【図１】
0003656639.tif 000002
【図２】
0003656639.tif 000003
【図３】
0003656639.tif 000004
【図４】
0003656639.tif 000005
【図５】
0003656639.tif 000006
【図６】
0003656639.tif 000007
【図７】
0003656639.tif 000008
【図８】
0003656639.tif 000009
【図９】
0003656639.tif 000010
【図１０】
0003656639.tif 000011
【図１１】
0003656639.tif 000012
【図１２】
0003656639.tif 000013
【図１３】
0003656639.tif 000014
【図１４】
0003656639.tif 000015
【図１５】
0003656639.tif 000016
【図１６】
0003656639.tif 000017
【図１７】
0003656639.tif 000018
【図１８】
0003656639.tif 000019
【図１９】
0003656639.tif 000020
【図２０】
0003656639.tif 000021
【図２１】
0003656639.tif 000022
【図２２】
0003656639.tif 000023
【図２３】
0003656639.tif 000024
【図２４】
0003656639.tif 000025
【図２５】
0003656639.tif 000026
【図２６】
0003656639.tif 000027
【図２７】
0003656639.tif 000028
【図２８】
0003656639.tif 000029
【図２９】
0003656639.tif 000030
【図３０】
0003656639.tif 000031
【図３１】
0003656639.tif 000032
【図３２】
0003656639.tif 000033
【図３３】
0003656639.tif 000034